(57)【要約】【課題】映像機器を操作するために用いられる他の映像機器に高い性能を要求することなく、さまざまなメーカーの映像機器の操作に用いられるユーザインターフェースの情報を効果的に提供する。【解決手段】情報管理システムは、レコーダ１０とＴＶ２０とが接続され、レコーダ１０、または、ＴＶ２０とサーバ装置５０とが接続される。サーバ装置５０は、レコーダ１０の操作に用いられ、ＴＶ２０に表示されるユーザインターフェースの情報を記憶し、レコーダ１０の情報とＴＶ２０の情報とをレコーダ１０、または、ＴＶ２０から受信し、レコーダ１０の情報とＴＶ２０の情報との組み合わせに対応するユーザインターフェースの情報を検索する。レコーダ１０、または、ＴＶ２０は、検索された情報を取得し、取得した情報をＴＶ２０におけるユーザインターフェースの表示を制御する制御部に出力する。【選択図】図１
2013034170.tif 000002
【特許請求の範囲】
【請求項１】
第１の映像機器、または、第２の映像機器にネットワークを介して接続された情報提供装置であって、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、前記第１の映像機器の情報と前記第２の映像機器の情報との組み合わせに対応するユーザインターフェースの情報を前記記憶部から検索する検索部と、
該検索部により検索された情報を、前記ネットワークを介して接続された第１の映像機器、または、第２の映像機器に送信する情報送信部と、
を備えることを特徴とする情報提供装置。
【請求項２】
前記検索部は、前記第１の映像機器の情報と前記第２の映像機器の情報との組み合わせに対応するユーザインターフェースの情報のうち、最新のユーザインターフェースの情報を検索することを特徴とする請求項１に記載の情報提供装置。
【請求項３】
前記第１の映像機器の情報は、前記第１の映像機器の解像度の情報を含み、前記第２の映像機器の情報は、前記第２の映像機器が有する複数の機能の情報を含むことを特徴とする請求項１または２に記載の情報提供装置。
【請求項４】
前記第１の映像機器の情報は、該第１の映像機器に対してユーザが設定した第１の設定情報を含むことを特徴とする請求項１〜３のいずれか１項に記載の情報提供装置。
【請求項５】
前記第１の設定情報は、前記第１の映像機器において文字の表示に用いられる言語の情報を含むことを特徴とする請求項４に記載の情報提供装置。
【請求項６】
前記第１の設定情報は、前記第１の映像機器における表示画面分割の情報を含むことを特徴とする請求項４に記載の情報提供装置。
【請求項７】
前記第２の映像機器の情報は、該第２の映像機器に対してユーザが設定した第２の設定情報を含むことを特徴とする請求項１〜６のいずれか１項に記載の情報提供装置。
【請求項８】
前記第２の設定情報は、前記第２の映像機器により記録媒体が再生される場合に用いられる言語の情報を含むことを特徴とする請求項７に記載の情報提供装置。
【請求項９】
前記第２の映像機器の情報は、前記第２の映像機器により再生される記録媒体に記録されたコンテンツの言語の情報を含むことを特徴とする請求項１〜６のいずれか１項に記載の情報提供装置。
【請求項１０】
前記第１の映像機器は、携帯端末であることを特徴とする請求項１〜９のいずれか１項に記載の情報提供装置。
【請求項１１】
情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、
前記情報提供装置は、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、前記第１の映像機器の情報と前記第２の映像機器の情報との組み合わせに対応するユーザインターフェースの情報を前記記憶部から検索する検索部と、
該検索部により検索された情報を、前記ネットワークを介して接続された第１の映像機器、または、第２の映像機器に送信する情報送信部と、を備え、
前記第１の映像機器、または、前記第２の映像機器は、
前記情報送信部により送信された情報を取得し、取得した情報を前記表示装置における前記ユーザインターフェースの表示を制御する制御部に出力する情報出力部を備える、
ことを特徴とする情報管理システム。
【請求項１２】
前記第１の映像機器は、携帯端末であることを特徴とする請求項１１に記載の情報管理システム。
【請求項１３】
他の映像機器と接続される映像機器であって、
前記他の映像機器の情報を取得する情報取得部と、
該情報取得部により取得された情報を情報提供装置に送信する情報送信部と、
前記情報提供装置から自映像機器と前記他の映像機器との組み合わせに対応するユーザインターフェースの情報を受信する情報受信部と、
該情報受信部が受信した情報を、自映像機器、または、前記他の映像機器が有する表示装置における前記ユーザインターフェースの表示を制御する制御部に出力する情報出力部と、
を備えることを特徴とする映像機器。
【請求項１４】
前記他の映像機器は携帯端末であり、前記情報出力部は、前記情報受信部が受信した情報を、前携帯端末が有する表示装置における前記ユーザインターフェースの表示を制御する制御部に出力することを特徴とする請求項１３に記載の映像機器。
【請求項１５】
映像機器と接続される携帯端末であって、
ユーザインターフェースの表示を行う表示部と、
前記映像機器の情報を取得する情報取得部と、
該情報取得部により取得された情報を情報提供装置に送信する情報送信部と、
前記情報提供装置から前記携帯端末と前記映像機器との組み合わせに対応するユーザインターフェースの情報を受信する情報受信部と、
該情報受信部が受信した情報を、前記表示部における前記ユーザインターフェースの表示を制御する制御部に出力する情報出力部と、
を備えることを特徴とする携帯端末。
【発明の詳細な説明】
【技術分野】
【０００１】
本発明は、情報提供装置、情報管理システム、映像機器、及び携帯端末に関する。
【背景技術】
【０００２】
従来、複数の映像機器をＨＤＭＩ（High-Definition Multimedia Interface）などで接続し、１つのリモコンで全ての機器の操作を可能とする技術が開発されている。この技術では、例えば、レコーダの操作画面をＴＶに表示させ、その操作画面を用いてユーザがレコーダの操作を行うことが可能となる。すなわち、ユーザは、ＴＶを操作する感覚でレコーダの操作を容易に行うことができる。
【０００３】
ただし、さまざまなメーカーのレコーダがＴＶに接続されるとしても、ＴＶが同じものである場合、ＴＶに表示される操作画面は同一のものとなってしまう。そのため、特許文献１には、デバイス情報とデバイステンプレートから、デバイスを操作するためのユーザインターフェースを構築するリモート操作端末装置が開示されている。
【先行技術文献】
【特許文献】
【０００４】
【特許文献１】特開２００７−１１４８８８号公報
【発明の概要】
【発明が解決しようとする課題】
【０００５】
しかしながら、上述した特許文献１の従来技術では、デバイスを操作するリモート操作端末装置に、デバイスごとにデバイステンプレートを保持しておく必要があるので、リモート操作端末装置に接続されるデバイスの数が多い場合には、デバイステンプレートを記憶するための記憶容量が大きくなるという問題がある。
【０００６】
例えば、多くのメーカーのデバイスがリモート操作端末装置に接続される場合、メーカーごとにデバイステンプレートを記憶しておく必要があるため、記憶容量が大きくなる。また、新たな機能が追加されたデバイスが登場し、古いモデルのデバイスと新しいモデルのデバイスとが両方とも用いられる場合も、各モデル用のデバイステンプレートをそれぞれ記憶しておく必要があるため、記憶容量が大きくなる。
【０００７】
具体的には、上記デバイスがレコーダであって、レコーダを操作するためのユーザインターフェースがレコーダに接続されたＴＶに表示されるシステムにおいて、上記リモート操作端末装置の機能をＴＶに搭載しようとする場合、ＴＶに必要な記憶容量が大きくなるため、問題が生じる。
【０００８】
本発明は、上述した実情に鑑み、映像機器を操作するために用いられる他の映像機器に高い性能を要求することなく、さまざまなメーカーの映像機器の操作に用いられるユーザインターフェースの情報を効果的に提供することが可能な情報提供装置、情報管理システム、および、ユーザインターフェースの情報の提供を受ける映像機器及び携帯端末を提供することを目的とする。
【課題を解決するための手段】
【０００９】
上記課題を解決する為に、本発明の第１の技術手段は、第１の映像機器、または、第２の映像機器にネットワークを介して接続された情報提供装置であって、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、前記第１の映像機器の情報と前記第２の映像機器の情報との組み合わせに対応するユーザインターフェースの情報を前記記憶部から検索する検索部と、該検索部により検索された情報を、前記ネットワークを介して接続された第１の映像機器、または、第２の映像機器に送信する情報送信部と、を備えることを特徴とする。
【００１０】
本発明の第２の技術手段は、第１の技術手段において、前記検索部は、前記第１の映像機器の情報と前記第２の映像機器の情報との組み合わせに対応するユーザインターフェースの情報のうち、最新のユーザインターフェースの情報を検索することを特徴とする。
【００１１】
本発明の第３の技術手段は、第１または第２の技術手段において、前記第１の映像機器の情報は、前記第１の映像機器の解像度の情報を含み、前記第２の映像機器の情報は、前記第２の映像機器が有する複数の機能の情報を含むことを特徴とする。
【００１２】
本発明の第４の技術手段は、第１〜第３のいずれか１つの技術手段において、前記第１の映像機器の情報は、該第１の映像機器に対してユーザが設定した第１の設定情報を含むことを特徴とする。
【００１３】
本発明の第５の技術手段は、第４の技術手段において、前記第１の設定情報は、前記第１の映像機器において文字の表示に用いられる言語の情報を含むことを特徴とする。
【００１４】
本発明の第６の技術手段は、第４の技術手段において、前記第１の設定情報は、前記第１の映像機器における表示画面分割の情報を含むことを特徴とする。
【００１５】
本発明の第７の技術手段は、第１〜第６のいずれか１つの技術手段において、前記第２の映像機器の情報は、該第２の映像機器に対してユーザが設定した第２の設定情報を含むことを特徴とする。
【００１６】
本発明の第８の技術手段は、第７の技術手段において、前記第２の設定情報は、前記第２の映像機器により記録媒体が再生される場合に用いられる言語の情報を含むことを特徴とする。
【００１７】
本発明の第９の技術手段は、第１〜第６のいずれか１つの技術手段において、前記第２の映像機器の情報は、前記第２の映像機器により再生される記録媒体に記録されたコンテンツの言語の情報を含むことを特徴とする。
【００１８】
本発明の第１０の技術手段は、第１〜第９のいずれか１つの技術手段において、前記第１の映像機器は、携帯端末であることを特徴とする。
【００１９】
本発明の第１１の技術手段は、情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、前記情報提供装置は、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、前記第１の映像機器の情報と前記第２の映像機器の情報との組み合わせに対応するユーザインターフェースの情報を前記記憶部から検索する検索部と、該検索部により検索された情報を、前記ネットワークを介して接続された第１の映像機器、または、第２の映像機器に送信する情報送信部と、を備え、前記第１の映像機器、または、前記第２の映像機器は、前記情報送信部により送信された情報を取得し、取得した情報を前記表示装置における前記ユーザインターフェースの表示を制御する制御部に出力する情報出力部を備える、ことを特徴とする。
【００２０】
本発明の第１２の技術手段は、第１１の技術手段において、前記第１の映像機器は、携帯端末であることを特徴とする。
【００２１】
本発明の第１３の技術手段は、他の映像機器と接続される映像機器であって、前記他の映像機器の情報を取得する情報取得部と、該情報取得部により取得された情報を情報提供装置に送信する情報送信部と、前記情報提供装置から自映像機器と前記他の映像機器との組み合わせに対応するユーザインターフェースの情報を受信する情報受信部と、該情報受信部が受信した情報を、自映像機器、または、前記他の映像機器が有する表示装置における前記ユーザインターフェースの表示を制御する制御部に出力する情報出力部と、を備えることを特徴とする。
【００２２】
本発明の第１４の技術手段は、第１３の技術手段において、前記他の映像機器は携帯端末であり、前記情報出力部は、前記情報受信部が受信した情報を、前携帯端末が有する表示装置における前記ユーザインターフェースの表示を制御する制御部に出力することを特徴とする。
【００２３】
本発明の第１５の技術手段は、映像機器と接続される携帯端末であって、ユーザインターフェースの表示を行う表示部と、前記映像機器の情報を取得する情報取得部と、該情報取得部により取得された情報を情報提供装置に送信する情報送信部と、前記情報提供装置から前記携帯端末と前記映像機器との組み合わせに対応するユーザインターフェースの情報を受信する情報受信部と、該情報受信部が受信した情報を、前記表示部における前記ユーザインターフェースの表示を制御する制御部に出力する情報出力部と、を備えることを特徴とする。
【発明の効果】
【００２４】
本発明によれば、ネットワークを介して接続された情報提供装置に、さまざまなメーカーの映像機器の操作に用いられるユーザインターフェースの情報を蓄積しておき、情報提供装置からテレビとレコーダなどの映像機器の組み合わせに最適なユーザインターフェースを取得できるので、映像機器を操作するために用いられる他の映像機器に高い性能を要求することなく、さまざまなメーカーの映像機器の操作に用いられるユーザインターフェースの情報を効果的に提供することができる。
【図面の簡単な説明】
【００２５】
【図１】本発明に係る情報管理システムの構成例を示す図である。
【図２】図１に示したレコーダおよびＴＶの構成例を説明するためのブロック図である。
【図３】図１に示したサーバ装置の構成例を説明するためのブロック図である。
【図４】ユーザインターフェースデータ情報の一例を示す図である。
【図５】ＴＶおよびレコーダの組み合わせにより変更されるユーザインターフェースの一例について説明する図である。
【図６】図５に示したユーザインターフェースの拡大図である。
【図７】本発明の実施形態に係る情報管理システムの動作例を説明するための図である。
【図８】本発明の実施形態に係る情報管理システムの他の動作例を説明するための図である。
【図９】ユーザ設定を用いて決定されたユーザインターフェースの一例を示す図である。
【図１０】言語のユーザ設定の情報を含むユーザインターフェースデータ情報の一例を示す図である。
【図１１】再生方法の情報を含むユーザインターフェースデータ情報の一例を示す図である。
【図１２】２つに分割された画面例を示す図である。
【図１３】画面分割のユーザ設定の情報を含むユーザインターフェースデータ情報の一例を示す図である。
【図１４】ユーザインターフェースデータのバージョンの情報を含むユーザインターフェースデータ情報の一例を示す図である。
【図１５】本発明の実施形態に係る情報管理システムの他の動作例を説明するための図である。
【図１６】本発明の実施形態に係る情報管理システムの他の動作例を説明するための図である。
【図１７】本発明の実施形態に係る情報管理システムの他の動作例を説明するための図である。
【図１８】本発明の実施形態に係る情報管理システムの他の動作例を説明するための図である。
【図１９】本発明に係る情報管理システムの他の構成例を示す図である。
【図２０】レコーダと携帯端末とがインターネットを介して接続される場合の機器操作システムの構成例を示す図である。
【図２１】図１９、図２０に示した携帯端末の構成例を説明するためのブロック図である。
【図２２】本発明の実施形態に係る情報管理システムの他の動作例を説明するための図である。
【図２３】本発明の実施形態に係る情報管理システムの他の動作例を説明するための図である。
【発明を実施するための形態】
【００２６】
以下、添付図面を参照しながら、本発明の情報提供装置、情報管理システム、映像機器、及び携帯端末に係る好適な実施の形態について説明する。図１は、本発明に係る情報管理システムの構成例を示す図で、図中、１０は映像機器の一例であるレコーダ、２０は映像機器の一例であるＴＶ、５０はレコーダ１０を操作するためのユーザインターフェースのデータを提供するサーバ装置である。このユーザインターフェースは、ＴＶ２０に表示されるものである。サーバ装置５０は、ＴＶ２０およびレコーダ１０の組み合わせに最適なユーザインターフェースのデータを提供する。
【００２７】
また、４０はＨＤＭＩ  ＨＥＣ対応のＨＤＭＩケーブルであり、６０はインターネットなどのネットワークである。レコーダ１０とＴＶ２０とはＨＤＭＩケーブル４０を介して相互に接続されており、ケーブル一本で映像・音声信号の伝送や、イーサネット（登録商標）信号の伝送、機器間制御用のコマンドを伝送することができる。
【００２８】
なお、本実施形態では、ユーザインターフェースを表示する装置がＴＶ２０である場合について説明するが、デスクトップ型パーソナルコンピュータやノート型パーソナルコンピュータのディスプレイなどであってもよい。また、サーバ装置５０は、レコーダ１０やＴＶ２０にネットワークを介して接続された別のレコーダやパーソナルコンピュータなどの装置であってもよい。
【００２９】
また、本発明の実施形態では、レコーダ１０とＴＶ２０との間を、ＨＤＭＩ（High Definition Multimedia Interface）で接続した場合について説明するが、ＩＥＥＥ１３９４、ＵＳＢ（Universal Serial Bus）、ＬＡＮ（Local Area Network）、電力線通信（ＰＬＣ：Power Line Communications）、無線通信、光通信等で接続することとしてもよい。
【００３０】
図１（Ａ）の例では、サーバ装置５０は、ネットワーク６０を介して、ＴＶ２０にユーザインターフェースのデータを送信する。図１（Ｂ）の例では、サーバ装置５０は、ネットワーク６０を介して、レコーダ１０にユーザインターフェースのデータを送信する。そして、そのデータを受信したレコーダ１０が、ＨＤＭＩケーブル４０を介して、ＴＶ２０にユーザインターフェースのデータを転送する。
【００３１】
ここで、ＨＤＭＩについて簡単に説明する。ＨＤＭＩは、ＴＶとレコーダなどの周辺機器間をデジタル接続するためのデジタルインタフェースであり、ＰＣとディスプレイの接続標準規格であるＤＶＩに音声伝送機能や著作権保護機能を加えて、ＡＶ機器向けにアレンジしたものとなっている。従来は機器間の接続にビデオ、オーディオ、コントロールの各信号用の複数のケーブルを用いていたが、ＨＤＭＩではケーブル１本で済むために、機器間の配線を簡略化することができる。
【００３２】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格バージョン１．０）、２００５年１２月（ＨＤＭＩ規格バージョン１．２ａ）にはＡＶ機器間のコントロールを行うための制御プロトコルとしてＣＥＣ（Consumer Electronics Control）の規定が追加され、２００９年５月（ＨＤＭＩ規格１．４）にはＨＤＭＩケーブル上にＥｔｈｅｒｎｅｔ（登録商標）のプロトコルを伝送可能とするＨＥＣ（HDMI Ethernet Channel）の規定が追加された。
【００３３】
なお、ＣＥＣに関する用語は、ＨＤＭＩ規格の「2.2 Glossary of Terms」、「CEC 2.2 Glossary of Terms」他に定義されており、ＨＤＭＩ入力端子を持ちＡＶストリームを表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【００３４】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【００３５】
図２は、図１に示したレコーダ１０およびＴＶ２０の構成例を説明するためのブロック図である。図中、レコーダ１０とＴＶ２０とがＨＤＭＩケーブル４０を介して接続されている。
【００３６】
ＨＤＭＩケーブル４０は、デジタル信号である映像・音声ストリームを差動方式で伝送するＴＭＤＳ（Transition Minimized Differential Signaling）ライン４１と、機器間で共通の制御信号（ＣＥＣメッセージ）を伝送する双方向バスであるＣＥＣライン４２と、イーサネット信号の双方向通信を行うＨＥＣライン４３とを含んでいる。またこの他に、ＨＤＭＩケーブル４０には、ＥＤＩＤ（Extended Display Identification Data）の送信や、ＨＤＣＰ（High-bandwidth Digital Content Protection system）認証等に利用されるＩ２Ｃラインが含まれる。
【００３７】
レコーダ１０は、ＨＤＭＩトランスミッタ１１、メインマイコン１２、フロントマイコン１３、ＣＥＣＩ／Ｆ１４、通信Ｉ／Ｆ１５、リモコン受光部１６、ＨＤＭＩコネクタ１７、ＬＡＮＩ／Ｆ１８、及び記憶部１９を備えている。
【００３８】
ＨＤＭＩトランスミッタ１１は、ＨＤＭＩコネクタ１７を介してＨＤＭＩケーブル４０内のＴＭＤＳライン４１と接続され、例えばＢＤやＤＶＤなどの記録メディアに記録されている映像データと音声データとを読み出し、読み出したデータを音声信号が映像信号のブランキング期間に挿入されたＨＤＭＩ形式のストリームに変換する。そして、ＨＤＭＩトランスミッタ１１は、変換したストリームをＴＭＤＳライン４１によってＴＶ２０へ伝送する。また、メインマイコン１２は、装置全体を制御するメインＣＰＵであって、ＨＤＭＩコントローラを含み、ＨＤＭＩトランスミッタ１１及びＬＡＮＩ／Ｆ１８の動作を制御する。
【００３９】
また、ＣＥＣＩ／Ｆ１４は、ＨＤＭＩコネクタ１７を介してＨＤＭＩケーブル４０内のＣＥＣライン４２と接続され、ＴＶ２０との間でＣＥＣメッセージの双方向通信を可能とする。ＣＥＣＩ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、これらの論理アドレスと物理アドレスを指定することで所望の機器にＣＥＣメッセージを送信することができる。
【００４０】
また、フロントマイコン１３は、低電力で動作し、常にＣＥＣライン４２から転送されてくるＣＥＣメッセージを監視する。フロントマイコン１３は、サブＣＰＵであって、図示しないリモコン装置からのリモコン信号を受信するリモコン受光部１６を制御している。そして装置のスタンバイモードなどにおいてメインマイコン１２の電源がオフされているときでも、フロントマイコン１３が動作し、ＣＥＣメッセージの送受信とリモコン信号の受信とが可能な状態を維持する。
【００４１】
また、通信Ｉ／Ｆ１５は、ＨＤＭＩ以外で外部との通信を行うためのもので、例えば、インターネットなどのネットワーク６０を介して、サーバ装置５０と接続する。通信Ｉ／Ｆ１５は、さらに、ＩＥＥＥ１３９４や、ＬＡＮ、ＰＬＣ、無線通信、光通信などの通信手段によりサーバ装置５０やＴＶ２０と接続することとしてもよい。
【００４２】
また、ＬＡＮＩ／Ｆ１８は、ＨＤＭＩコネクタ１７を介してＨＤＭＩケーブル４０内のＨＥＣライン４３と接続され、ＴＶ２０との間でイーサネット信号の双方向通信を可能とする。このＬＡＮＩ／Ｆ１８は、ＨＤＭＩトランスミッタ１１に内蔵されていてもよい。
【００４３】
記憶部１９は、ＨＤＭＩにおける論理アドレス、物理アドレス等を記憶するＥＥＰＲＯＭ（Electrically Erasable and Programmable Read Only Memory）などの不揮発性メモリである。記憶部１９は、フロントマイコン１３あるいはメインマイコン１２により必要に応じてアクセスされ、データの読み出しや書き込みが実行される。なお、記憶部１９は、ＥＥＰＲＯＭに限定されず、例えば、ＨＤ（Hard Disk）や、フラッシュメモリなどであってもよい。
【００４４】
ＴＶ２０は、メインマイコン２１、ＨＤＭＩレシーバ２２、モニターマイコン２３、ＣＥＣＩ／Ｆ２４、通信Ｉ／Ｆ２５、リモコン受光部２６、ＨＤＭＩコネクタ２７、ＬＡＮＩ／Ｆ２８、記憶部２９、及び表示部３０を備えている。なお、ＴＶ２０は、チューナも備えるが、チューナの記載は省略している。
【００４５】
ＨＤＭＩレシーバ２２は、ＨＤＭＩコネクタ２７を介してＨＤＭＩケーブル４０内のＴＭＤＳライン４１と接続され、レコーダ１０から転送されたストリームを受信する。このＨＤＭＩレシーバ２２はメインマイコン２１に内蔵されていてもよい。また、メインマイコン２１は、装置全体を制御するメインＣＰＵであって、ＨＤＭＩコントローラを含み、ＨＤＭＩレシーバ２２及びＬＡＮＩ／Ｆ２８の動作を制御する。
【００４６】
ＣＥＣＩ／Ｆ２４は、ＨＤＭＩコネクタ２７を介してＨＤＭＩケーブル４０内のＣＥＣライン４２と接続され、レコーダ１０との間でＣＥＣメッセージの双方向通信を可能とする。ＣＥＣＩ／Ｆ２４の動作は、ＣＥＣコントローラを含むモニターマイコン２３により制御され、ＣＥＣメッセージによってＨＤＭＩ接続された機器を制御することができる。
【００４７】
また、モニターマイコン２３は、低電力で動作し、常にＣＥＣライン４２から転送されてくるＣＥＣメッセージを監視する。モニターマイコン２３は、サブＣＰＵであって、リモコン装置Ｒからのリモコン信号を受信するリモコン受光部２６を制御している。そして装置のスタンバイモードなどにおいてメインマイコン２１の電源がオフされているときでも、モニターマイコン２３が動作し、ＣＥＣメッセージの送受信とリモコン信号の受信とが可能な状態を維持する。
【００４８】
また、通信Ｉ／Ｆ２５は、ＨＤＭＩ以外で外部との通信を行うためのもので、例えば、インターネットなどのネットワーク６０を介して、サーバ装置５０と接続する。通信Ｉ／Ｆ２５は、さらに、ＩＥＥＥ１３９４や、ＬＡＮ、ＰＬＣ、無線通信、光通信などの通信手段によりサーバ装置５０やレコーダ１０と接続することとしてもよい。
【００４９】
また、ＬＡＮＩ／Ｆ２８は、ＨＤＭＩコネクタ２７を介してＨＤＭＩケーブル４０内のＨＥＣライン４３と接続され、レコーダ１０との間でイーサネット信号の双方向通信を可能とする。このＬＡＮＩ／Ｆ２８は、ＨＤＭＩレシーバ２２に内蔵されていてもよい。
【００５０】
また、記憶部２９は、ＨＤＭＩにおける論理アドレス、物理アドレス、各種のデータテーブル等を記憶するＥＥＰＲＯＭなどの不揮発性メモリである。記憶部２９は、モニターマイコン２３あるいはメインマイコン２１により必要に応じてアクセスされ、データの読み出しや書き込みが実行される。なお、記憶部２９は、ＥＥＰＲＯＭに限定されず、例えば、ＨＤ（Hard Disk）や、フラッシュメモリなどであってもよい。
【００５１】
また、表示部３０は、ＬＣＤ（Liquid Crystal Display）などのディスプレイで構成される。ＴＶ２０では、ＨＤＭＩレシーバ２２によりストリームの映像／音声が分離され、必要に応じて所定の映像信号処理及び音声信号処理を行って、表示部３０に映像表示を行うと共に、図示しないスピーカから音声出力する。また、表示部３０は、メインマイコン２１による制御により、レコーダ１０を操作するためのユーザインターフェースを表示する。
【００５２】
図３は、図１に示したサーバ装置５０の構成例を説明するためのブロック図である。サーバ装置５０は、通信Ｉ／Ｆ５１、記憶部５２、及び制御部５３で構成される。通信Ｉ／Ｆ５１は、外部との通信を行うためのもので、例えば、インターネットなどのネットワーク６０を介して、レコーダ１０やＴＶ２０と接続する。
【００５３】
記憶部５２は、ＥＥＰＲＯＭなどの不揮発性メモリやＨＤ（Hard Disk）や、フラッシュメモリなどからなり、ユーザインターフェースデータ情報５２ａ、及びユーザインターフェースデータ５２ｂを記憶する。ユーザインターフェースデータ情報５２ａは、ＴＶ２０に接続されたレコーダ１０の操作に用いられ、ＴＶ２０に表示されるユーザインターフェースデータの情報である。
【００５４】
図４は、ユーザインターフェースデータ情報５２ａの一例を示す図である。このユーザインターフェースデータ情報５２ａには、第１の映像機器情報、第２の映像機器情報、及びユーザインターフェース識別情報が対応付けて登録されている。
【００５５】
第１の映像機器情報は、第２の映像機器（レコーダ１０）と接続され、第２の映像機器を操作するためのユーザインターフェースを表示する第１の映像機器（ＴＶ２０）の型番の情報である。また、第２の映像機器情報は、第２の映像機器の型番の情報である。ユーザインターフェースデータ識別情報とは、第１の映像機器情報、及び第２の映像機器情報の組み合わせに対応するユーザインターフェースデータを識別する識別情報である。なお、「第１」、「第２」という用語は、両者を区別するために便宜上用いているものである（以下同様）。
【００５６】
図３の説明に戻ると、ユーザインターフェースデータ５２ｂは、第１の映像機器情報、及び第２の映像機器情報の組み合わせに対応するユーザインターフェースデータを、図４で説明したユーザインターフェースデータ識別情報に対応付けて記憶したデータである。
【００５７】
制御部５３は、サーバ装置５０全体を制御する処理部であり、ＣＰＵ（Central Processing Unit）などにより構成される。この制御部５３は、情報受信部５３ａ、検索部５３ｂ、情報送信部５３ｃとして機能する。
【００５８】
情報受信部５３ａは、通信Ｉ／Ｆ５１により通信接続が確立された他の装置から情報を受信する。例えば、情報受信部５３ａは、互いに接続された映像機器の組み合わせ（レコーダ１０とＴＶ２０）の情報を受信する。
【００５９】
検索部５３ｂは、互いに接続された映像機器の組み合わせの情報が情報受信部５３ａにより受信された場合に、ユーザインターフェースデータ情報５２ａに登録された情報の中から、受信した組み合わせの情報に対応するユーザインターフェースデータ識別情報を検索する。
【００６０】
情報送信部５３ｃは、通信Ｉ／Ｆ５１により通信接続が確立された他の装置に情報を送信する。例えば、情報送信部５３ｃは、検索部５３ｂによる検索の結果得られたユーザインターフェースデータ識別情報により特定されるユーザインターフェースデータを記憶部５２のユーザインターフェースデータ５２ｂから読み出し、読み出したユーザインターフェースデータをレコーダ１０、あるいは、ＴＶ２０に送信する。
【００６１】
このように、本発明の情報管理システムは、第１の映像機器、第１の映像機器に接続され、第１の映像機器にユーザインターフェースが表示される第２の映像機器、及び上記ユーザインターフェースの情報を提供する情報提供装置が接続されて構成される。図２の例では、レコーダ１０が第２の映像機器、ＴＶ２０が第１の映像機器、サーバ装置５０が情報提供装置となる。
【００６２】
本発明の主たる目的は、映像機器（図１の例ではレコーダ１０）を操作するために用いられる他の映像機器（図１の例ではＴＶ２０）に高い性能を要求することなく、さまざまなメーカーの映像機器の操作に用いられるユーザインターフェースの情報を効果的に提供することにある。
【００６３】
このための構成として、サーバ装置５０は、ＴＶ２０に接続されるレコーダ１０の操作に用いられ、ＴＶ２０に表示されるユーザインターフェースの情報を記憶する記憶部と、ＴＶ２０およびレコーダ１０の情報を、ネットワーク６０を介して接続されたＴＶ２０、または、レコーダ１０から受信する情報受信部と、情報受信部により受信された情報に基づいて、レコーダ１０とＴＶ２０の組み合わせに対応するユーザインターフェースの情報を記憶部から検索する検索部と、検索部により検索された情報を、ネットワーク６０を介してレコーダ１０、または、ＴＶ２０に送信する情報送信部と、を備える。
【００６４】
ここで、記憶部は、図３に示したサーバ装置５０の記憶部５２によって実現され、情報受信部は、情報受信部５３ａによって実現され、検索部は、検索部５３ｂによって実現され、情報送信部は、情報送信部５３ｃによって実現される。
【００６５】
また、ＴＶ２０、または、レコーダ１０は、情報送信部５３ｃにより送信された情報を取得し、取得した情報を表示装置におけるユーザインターフェースの表示を制御する制御部に出力する情報出力部を備える。ここで、表示装置は、図２に示したＴＶ２０の表示部３０により実現され、制御部は、メインマイコン２１により実現され、情報出力部は、情報管理システムが図１（Ａ）に示すような構成である場合には、ＴＶ２０の通信Ｉ／Ｆ２５により実現され、情報管理システムが図１（Ｂ）に示すような構成である場合には、レコーダ１０のＣＥＣＩ／Ｆ１４、または、ＬＡＮＩ／Ｆ１８により実現される。
【００６６】
図５は、ＴＶ２０およびレコーダ１０の組み合わせにより変更されるユーザインターフェースの一例について説明する図である。また、図６は、図５に示したユーザインターフェース７０ａ〜７０ｃの拡大図である。
【００６７】
図５（Ａ）には、解像度がＷＸＧＡ（１２８０×７６８）であるＴＶ２０と、コンテンツの再生、録画、早送り等の複数の機能を有するレコーダ１０との組み合わせ、図５（Ｂ）には、解像度がＦｕｌｌＨＤ（１９２０×１０８０）であるＴＶ２０と上記レコーダ１０との組み合わせ、図５（Ｃ）には、解像度が４Ｋ２Ｋ（４０９６×２１６０）であるＴＶ２０と上記レコーダ１０との組み合わせが示されている。
【００６８】
情報管理システムが図１（Ａ）に示すような構成である場合、ＴＶ２０はレコーダ１０の型番の情報をＨＤＭＩケーブル４０を介して取得し、取得した型番の情報をＴＶ２０の型番の情報とともにサーバ装置１０に送信する。レコーダ１０の型番の情報は、例えば、ＣＥＣを用いて送信しても良いし、ＨＥＣを用いて送信しても良く、本発明の趣旨を逸脱しない限りどのような手段を用いて送信しても良い。
【００６９】
そして、この情報を受信したサーバ装置１０は、図４に示したようなユーザインターフェースデータ情報５２ａを参照し、ＴＶ２０の型番とレコーダ１０の型番との組み合わせに対応するユーザインターフェースデータ識別情報を検索する。
【００７０】
ここで、ユーザインターフェースデータ情報５２ａには、ＴＶ２０とレコーダ１０の組み合わせに最適なユーザインターフェースの情報が登録されている。例えば、レコーダ１０が多数の機能を有し、それらの機能の実行指示を受け付ける操作ボタンが多数含まれるユーザインターフェースをＴＶ２０に表示する場合、ＴＶ２０の解像度が高くないと操作ボタンの視認性が悪くなる。
【００７１】
そのため、解像度が低い図５（Ａ）に示すＴＶ２０は、図５（Ａ）、図６（Ａ）に示すように、必要最小限の機能が実現可能な数まで操作ボタンの数を減らしたユーザインターフェース７０ａを表示する。
【００７２】
解像度が高い図５（Ｃ）に示すＴＶ２０は、図５（Ｃ）、図６（Ｃ）に示すように、操作ボタンの数が多いユーザインターフェース７０ｃを表示する。
【００７３】
解像度が中程度の図５（Ｂ）に示すＴＶ２０は、図５（Ｂ）、図６（Ｂ）に示すように、標準的な機能が実現可能な数の操作ボタンを含むユーザインターフェース７０ｂを表示する。ここで、ＴＶ２０に表示されるユーザインターフェースに含まれる操作ボタンの数および種類は、レコーダ１０の種類によって決定される。これにより、操作ボタンの視認性が悪くなることを効果的に防止できる。
【００７４】
図７は、本発明の実施形態に係る情報管理システムの動作例を説明するための図である。図７の動作例は、情報管理システムが図１（Ａ）に示すような構成である場合のものである。
【００７５】
まず、レコーダ１０とＴＶ２０のスイッチがＯＮになり、レコーダ１０とＴＶ２０との間で通信接続が確立されると、レコーダ１０は、ＴＶ２０にレコーダ１０の型番の情報を送信する（ステップＳ１１）。
【００７６】
そして、ＴＶ２０は、サーバ装置５０に、レコーダ１０をＴＶ２０の画面上で操作するためのユーザインターフェースのデータ（ＵＩデータ）を送信するよう要求する（ステップＳ１２）。その際、ＴＶ２０は、サーバ装置５０に、ＴＶ２０の型番の情報とともに、レコーダ１０の型番の情報を送信する。
【００７７】
この要求を受けたサーバ装置５０は、図４に示したユーザインターフェースデータ情報５２ａを参照して、レコーダ１０の型番、及びＴＶ２０の型番の組み合わせに対応するユーザインターフェースのデータを検索し、その結果得られたデータをＴＶ２０に送信する（ステップＳ１３）。
【００７８】
そして、ＴＶ２０は、サーバ装置５０により送信されたユーザインターフェースのデータを受信し、受信したデータを記憶する（ステップＳ１４）。なお、レコーダ１０とＴＶ２０の古い組み合わせに対するユーザインターフェースのデータがＴＶ２０に記憶されている場合には、ＴＶ２０は、そのデータを更新する（ステップＳ１４）。
【００７９】
そして、ＴＶ２０がユーザからレコーダ１０の操作指示を受け付けた場合に、ＴＶ２０は、記憶・更新したユーザインターフェースのデータを読み出し、そのデータを用いて図６（Ａ）〜図６（Ｃ）に示したようなユーザインターフェースを表示する。
【００８０】
情報管理システムが図１（Ｂ）に示すような構成である場合の情報管理システムの動作例を図８に示す。図８は、本発明の実施形態に係る情報管理システムの他の動作例を説明するための図である。
【００８１】
まず、レコーダ１０とＴＶ２０のスイッチがＯＮになり、レコーダ１０とＴＶ２０との間で通信接続が確立されると、ＴＶ２０は、レコーダ１０にＴＶ２０の型番の情報を送信する（ステップＳ２１）。
【００８２】
そして、レコーダ１０は、サーバ装置５０に、ＴＶ２０の画面上でレコーダ１０を操作するためのユーザインターフェースのデータ（ＵＩデータ）を送信するよう要求する（ステップＳ２２）。その際、レコーダ１０は、サーバ装置５０に、レコーダ１０の型番の情報とともに、ＴＶ２０の型番の情報を送信する。
【００８３】
この要求を受けたサーバ装置５０は、図４に示したユーザインターフェースデータ情報５２ａを参照して、レコーダ１０の型番、及びＴＶ２０の型番の組み合わせに対応するユーザインターフェースのデータを検索し、その結果得られたデータをレコーダ１０に送信する（ステップＳ２３）。
【００８４】
そして、レコーダ１０は、サーバ装置５０により送信されたユーザインターフェースのデータを受信し、受信したデータをＴＶ２０に転送する（ステップＳ２４）。ＴＶ２０は、レコーダ１０により転送されたユーザインターフェースのデータを受信し、受信したデータを記憶する（ステップＳ２５）。なお、レコーダ１０とＴＶ２０の古い組み合わせに対するユーザインターフェースのデータがＴＶ２０に記憶されている場合には、ＴＶ２０は、そのデータを更新する（ステップＳ２５）。
【００８５】
そして、ＴＶ２０がユーザからレコーダ１０の操作指示を受け付けた場合には、ＴＶ２０は記憶・更新したユーザインターフェースのデータを読み出し、そのデータを用いて図６（Ａ）〜図６（Ｃ）に示したようなユーザインターフェースを表示する。
【００８６】
なお、上記実施形態では、レコーダ１０の操作ボタンの種類とＴＶ２０の解像度との組み合わせからＴＶ２０に表示するユーザインターフェースを決定していたが、その他の組み合わせを用いることとしてもよい。例えば、レコーダ１０やＴＶ２０のユーザ設定の情報を用いることとしてもよい。これにより、メニュー表示の言語に合わせて、ユーザインターフェースの表示言語を変更するなど、ユーザ設定に合わせて、適切なユーザインターフェースを表示することができる。
【００８７】
図９は、ユーザ設定を用いて決定されたユーザインターフェースの一例を示す図である。図９（Ａ）は、ＴＶ２０のメニュー表示が日本語表示となるように設定された場合のユーザインターフェースであり、図９（Ｂ）は、ＴＶ２０のメニュー表示が英語表示となるように設定された場合のユーザインターフェースである。
【００８８】
この場合、サーバ装置５０のユーザインターフェースデータ情報５２ａには、言語のユーザ設定の情報が含まれることになる。図１０は、言語のユーザ設定の情報を含むユーザインターフェースデータ情報５２ａの一例を示す図である。このユーザインターフェースデータ情報５２ａには、第１の映像機器情報、第２の映像機器情報、及びユーザインターフェース識別情報が対応付けて登録されている。
【００８９】
第１の映像機器情報は、第２の映像機器（レコーダ１０）と接続され、第２の映像機器を操作するためのユーザインターフェースを表示する第１の映像機器（ＴＶ２０）の型番及びユーザ設定の情報である。また、第２の映像機器情報は、第２の映像機器の型番の情報である。ユーザ設定の情報とは、ユーザによりＴＶ２０に設定された情報であり、ここではＴＶ２０のメニュー表示を日本語表示とするか、英語表示とするかの設定情報である。
【００９０】
また、ユーザインターフェースデータ識別情報とは、第１の映像機器の型番、第１の映像機器のユーザ設定、及び第２の映像機器の型番の組み合わせに対応するユーザインターフェースデータを識別する識別情報である。
【００９１】
例えば、情報管理システムが図１（Ａ）に示すような構成であり、ＴＶ２０のメニュー表示が日本語表示となるように設定された場合について考える。この場合、ＴＶ２０は、日本語表示のユーザインターフェースのデータをＴＶ２０が記憶しているか否かを判定する。日本語表示のユーザインターフェースのデータをＴＶ２０が記憶している場合、ＴＶ２０は、そのデータを用いて日本語表示のユーザインターフェースを表示する。
【００９２】
日本語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、メニュー表示が日本語表示に設定されていることを示す情報をさらにサーバ装置５０に送信する。
【００９３】
そして、サーバ装置５０は、図１０に示したユーザインターフェースデータ情報５２ａを参照し、図７のステップＳ１３に示したように、ＴＶ２０の型番、ＴＶ２０の日本語表示のユーザ設定、及びレコーダ１０の型番の組み合わせに対応するユーザインターフェースのデータを検索し、その結果得られたデータをＴＶ２０に送信する。そして、ＴＶ２０は、このデータを利用して、図９（Ａ）に示したようなユーザインターフェースの日本語表示を行う。
【００９４】
ＴＶ２０のメニュー表示が英語表示となるように設定された場合も同様に、ＴＶ２０は、英語表示のユーザインターフェースのデータをＴＶ２０が記憶しているか否かを判定する。英語表示のユーザインターフェースのデータをＴＶ２０が記憶している場合、ＴＶ２０は、そのデータを用いて英語表示のユーザインターフェースを表示する。
【００９５】
英語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、メニュー表示が英語表示に設定されていることを示す情報をさらにサーバ装置５０に送信する。
【００９６】
そして、サーバ装置５０は、ＴＶ２０の型番、ＴＶ２０の英語表示のユーザ設定、及びレコーダ１０の型番の組み合わせに対応するユーザインターフェースのデータを検索し、その結果得られたデータをＴＶ２０に送信する。そして、ＴＶ２０は、このデータを利用して、図９（Ｂ）に示したようなユーザインターフェースの英語表示を行う。
【００９７】
なお、ＴＶ２０に表示される日本語表示用および英語表示用のユーザインターフェースのデータは、レコーダ１０とＴＶ２０のスイッチがＯＮになり、レコーダ１０とＴＶ２０との間で通信接続が確立された際に、ＴＶ２０が、サーバ装置５０から取得し、記憶しておくこととする。これにより、メニュー表示言語がユーザにより変更されたとしても、サーバ装置５０からデータを取得する必要が無くなり、ユーザを待たせなくてすむ。
【００９８】
また、ここでは、ＴＶ２０のメニュー表示言語のユーザ設定を用いて、ユーザインターフェースを決定することとしたが、レコーダ１０がＤＶＤ（Digital Versatile Disc）やブルーレイディスクなどの記録媒体を再生可能な場合において、ユーザにより設定された記録媒体の再生方法に応じてＴＶ２０に表示するユーザインターフェースを決定することとしてもよい。
【００９９】
記録媒体の再生方法とは、日本語再生か、英語再生かの再生方法である。ここで、日本語再生とは、記録媒体を日本語音声で再生する場合や、日本語字幕を表示しつつ再生する場合などを意味する。英語再生とは、記録媒体を英語音声で再生する場合や、英語字幕を表示しつつ再生する場合などを指す。これにより、再生方法に合わせて、適切なユーザインターフェースを表示することができる。
【０１００】
この場合、サーバ装置５０のユーザインターフェースデータ情報５２ａには、レコーダ１０の再生方法のユーザ設定の情報が含まれることになる。図１１は、再生方法の情報を含むユーザインターフェースデータ情報５２ａの一例を示す図である。このユーザインターフェースデータ情報５２ａには、第１の映像機器情報、第２の映像機器情報、及びユーザインターフェース識別情報が対応付けて登録されている。
【０１０１】
第１の映像機器情報は、第２の映像機器（レコーダ１０）と接続され、第２の映像機器を操作するためのユーザインターフェースを表示する第１の映像機器（ＴＶ２０）の型番の情報である。また、第２の映像機器情報は、第２の映像機器の型番、及び第２の映像機器の再生方法の情報である。
【０１０２】
また、ユーザインターフェースデータ識別情報とは、第１の映像機器の型番、第２の映像機器の型番、及び第２の映像機器の再生方法の組み合わせに対応するユーザインターフェースデータを識別する識別情報である。
【０１０３】
例えば、情報管理システムが図１（Ａ）に示すような構成であり、ユーザにより記録媒体の再生方法が日本語再生に設定された場合を考える。この場合、ＴＶ２０は、日本語表示のユーザインターフェースのデータをＴＶ２０が記憶しているか否かを判定する。日本語表示のユーザインターフェースのデータをＴＶ２０が記憶している場合、ＴＶ２０は、そのデータを用いて日本語表示のユーザインターフェースを表示する。
【０１０４】
日本語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、レコーダ１０の記録媒体の再生方法が日本語再生であることを示す情報をさらにサーバ装置５０に送信する。
【０１０５】
そして、サーバ装置５０は、図１１に示したユーザインターフェースデータ情報５２ａを参照し、図７のステップＳ１３に示したように、レコーダ１０の型番、ＴＶ２０の型番、及びレコーダ１０の記録媒体の再生方法の組み合わせに対応するユーザインターフェースのデータを検索し、その結果得られたデータをＴＶ２０に送信する。そして、ＴＶ２０は、このデータを利用して、図９（Ａ）に示したようなユーザインターフェースの日本語表示を行う。
【０１０６】
レコーダ１０の記録媒体の再生方法がユーザにより英語再生となるように設定された場合も同様に、ＴＶ２０は、英語表示のユーザインターフェースのデータをＴＶ２０が記憶しているか否かを判定する。英語表示のユーザインターフェースのデータをＴＶ２０が記憶している場合、ＴＶ２０は、そのデータを用いてユーザインターフェースを表示する。
【０１０７】
英語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、記録媒体の再生方法が英語再生に設定されていることを示す情報をさらにサーバ装置５０に送信する。
【０１０８】
そして、サーバ装置５０は、ＴＶ２０の型番、レコーダ１０の型番、及びレコーダ１０の記録媒体の再生方法の組み合わせに対応するユーザインターフェースのデータを検索し、その結果得られたデータをＴＶ２０に送信する。そして、ＴＶ２０は、このデータを利用して、図９（Ｂ）に示したようなユーザインターフェースの英語表示を行う。
【０１０９】
なお、ＴＶ２０に表示される日本語再生用および英語再生用のユーザインターフェースのデータは、レコーダ１０とＴＶ２０のスイッチがＯＮになり、レコーダ１０とＴＶ２０との間で通信接続が確立された際に、ＴＶ２０が、サーバ装置５０から取得し、記憶しておくこととする。これにより、再生方法がユーザにより変更されたとしても、サーバ装置５０からデータを取得する必要が無くなり、ユーザを待たせなくてすむ。
【０１１０】
また、ここでは、記録媒体の再生方法のユーザ設定に基づいてＴＶ２０に表示するユーザインターフェースの種類を決定することとしたが、記録媒体に記憶されたコンテンツの音声の言語、あるいは、字幕の言語が１つの言語（例えば、日本語のみ、あるいは、英語のみ）にのみ対応しており、記録媒体を再生する再生方法が１種類しかない場合に（例えば、再生方法が日本語再生のみ、あるいは、英語再生のみの場合）、その再生方法に基づいてＴＶ２０に表示するユーザインターフェースの種類を決定することとしてもよい。これにより、再生される記録媒体の言語に合わせて、適切なユーザインターフェースを表示することができる。
【０１１１】
例えば、情報管理システムが図１（Ａ）に示すような構成であり、記録媒体に記憶されたコンテンツの音声の言語、あるいは、字幕の言語が日本語のみである場合を考える。この場合、ＴＶ２０は、コンテンツの音声の言語、あるいは、字幕の言語が日本語のみであることを記録媒体に記録されている言語情報から検出する。
【０１１２】
そして、ＴＶ２０は、日本語表示のユーザインターフェースのデータをＴＶ２０が記憶しているか否かを判定する。日本語表示のユーザインターフェースのデータをＴＶ２０が記憶している場合、ＴＶ２０は、そのデータを用いて日本語表示のユーザインターフェースを表示する。
【０１１３】
日本語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、記録媒体の再生方法が日本語再生であることを示す情報をさらにサーバ装置５０に送信する。
【０１１４】
そして、サーバ装置５０は、図１１に示したユーザインターフェースデータ情報５２ａを参照し、図７のステップＳ１３に示したように、レコーダ１０の型番、ＴＶ２０の型番、及びレコーダ１０の記録媒体の再生方法の組み合わせに対応するユーザインターフェースのデータを検索し、その結果得られたデータをＴＶ２０に送信する。そして、ＴＶ２０は、このデータを利用して、図９（Ａ）に示したようなユーザインターフェースの日本語表示を行う。
【０１１５】
レコーダ１０の記録媒体の再生方法が英語再生である場合も同様に、ＴＶ２０は、コンテンツの音声の言語、あるいは、字幕の言語が日本語のみであることを記録媒体に記録されている言語情報から検出する。
【０１１６】
そして、ＴＶ２０は、英語表示のユーザインターフェースのデータをＴＶ２０が記憶しているか否かを判定する。英語表示のユーザインターフェースのデータをＴＶ２０が記憶している場合、ＴＶ２０は、そのデータを用いてユーザインターフェースを表示する。
【０１１７】
英語表示のユーザインターフェースのデータをＴＶ２０が記憶していない場合、ＴＶ２０は、図７のステップＳ１２に示したように、レコーダ１０の型番の情報及びＴＶ２０の型番の情報をサーバ装置５０に送信し、ユーザインターフェースのデータの送信要求を行う。その際、ＴＶ２０は、記録媒体の再生方法が英語再生であることを示す情報をさらにサーバ装置５０に送信する。
【０１１８】
そして、サーバ装置５０は、ＴＶ２０の型番、レコーダ１０の型番、及びレコーダ１０の記録媒体の再生方法の組み合わせに対応するユーザインターフェースのデータを検索し、その結果得られたデータをＴＶ２０に送信する。そして、ＴＶ２０は、このデータを利用して、図９（Ｂ）に示したようなユーザインターフェースの英語表示を行う。
【０１１９】
なお、ＴＶ２０に表示される日本語再生用および英語再生用のユーザインターフェースのデータは、レコーダ１０とＴＶ２０のスイッチがＯＮになり、レコーダ１０とＴＶ２０との間で通信接続が確立された際に、ＴＶ２０が、サーバ装置５０から取得し、記憶しておくこととする。これにより、再生方法がユーザにより変更されたとしても、サーバ装置５０からデータを取得する必要が無くなり、ユーザを待たせなくてすむ。
【０１２０】
また、ＴＶ２０に表示するユーザインターフェースを決定するためのユーザ設定の情報として、ＴＶ２０の画面の分割数（２分割、４分割など）の情報を用いることとしてもよい。図１２は、２つに分割された画面例を示す図である。
【０１２１】
例えば、ユーザの操作により、図５（Ｃ）に示した１画面表示から、図１２に示した２画面表示に表示が切り換えられた場合について考える。２画面表示では、１画面表示よりも、ユーザインターフェースを表示する領域が狭くなるので、図６（Ｃ）に示したような多数の操作ボタンを含むユーザインターフェースを表示することが難しくなる。そのため、２画面表示では、ＴＶ２０は、図６（Ａ）に示したような操作ボタンの少ないユーザインターフェースのデータをサーバ装置２０から取得し、取得したデータを用いて２つの画面にそれぞれユーザインターフェース７０ａを表示する。
【０１２２】
なお、ＴＶ２０に表示される各分割画面用のユーザインターフェースのデータは、レコーダ１０とＴＶ２０のスイッチがＯＮになり、レコーダ１０とＴＶ２０との間で通信接続が確立された際に、ＴＶ２０が、サーバ装置５０から取得し、記憶しておくこととする。これにより、画面の分割数がユーザにより変更されたとしても、サーバ装置５０からデータを取得する必要が無くなり、ユーザを待たせなくてすむ。
【０１２３】
また、サーバ装置５０が記憶するユーザインターフェースデータ情報５２ａには、画面分割のユーザ設定の情報が含まれることになる。図１３は、画面分割のユーザ設定の情報を含むユーザインターフェースデータ情報５２ａの一例を示す図である。このユーザインターフェースデータ情報５２ａには、第１の映像機器情報、第２の映像機器情報、及びユーザインターフェース識別情報が対応付けて登録されている。
【０１２４】
第１の映像機器情報は、第２の映像機器（レコーダ１０）と接続され、第２の映像機器を操作するためのユーザインターフェースを表示する第１の映像機器（ＴＶ２０）の型番及びユーザ設定の情報である。また、第２の映像機器情報は、第２の映像機器の型番の情報である。ユーザ設定の情報とは、ユーザによりＴＶ２０に設定された情報であり、ここではＴＶ２０の画面を１画面表示とするか、２画面表示とするか、４画面表示とするかなどの設定情報である。
【０１２５】
また、ユーザインターフェースデータ識別情報とは、第１の映像機器の型番、第１の映像機器の画面分割数のユーザ設定、及び第２の映像機器の型番の組み合わせに対応するユーザインターフェースデータを識別する識別情報である。
【０１２６】
例えば、情報管理システムが図１（Ａ）に示すような構成であり、ＴＶ２０の画面が２画面表示となるように設定された場合について考える。この場合、ＴＶ２０は、図７のステップＳ１２に示したように、サーバ装置５０に、レコーダ１０の型番の情報及びＴＶ２０の型番の情報を送信し、ユーザインターフェースのデータの送信要求を行う。その際、ＴＶ２０は、画面が２画面表示に設定されていることを示す情報をさらにサーバ装置５０に送信する。
【０１２７】
そして、サーバ装置５０は、図１３に示したユーザインターフェースデータ情報５２ａを参照し、図７のステップＳ１３に示したように、ＴＶ２０の型番、ＴＶ２０の２画面表示のユーザ設定、及びレコーダ１０の型番の組み合わせに対応するユーザインターフェースのデータを検索し、その結果得られたデータをＴＶ２０に送信する。そして、ＴＶ２０は、このデータを利用して、図１２に示したようなユーザインターフェース７０ａの表示を行う。
【０１２８】
ＴＶ２０の画面が４画面表示となるように設定された場合も同様に、サーバ装置５０は、ＴＶ２０の型番、ＴＶ２０の４画面表示のユーザ設定、及びレコーダ１０の型番の組み合わせに対応するユーザインターフェースのデータを検索し、その結果得られたデータをＴＶ２０に送信する。そして、ＴＶ２０は、このデータを利用して、４画面表示用のユーザインターフェースの表示を行う。
【０１２９】
さらに、ＴＶ２０に表示するユーザインターフェースを決定するためにユーザ設定の情報を用いる以外にも、サーバ装置５０に記憶されているユーザインターフェースのデータが更新された場合に、ＴＶ２０に表示されるユーザインターフェースが変更されるように、情報管理システムを構成することとしてもよい。これにより、ユーザは最新のユーザインターフェースでレコーダ１０を操作することができるようになる。
【０１３０】
この場合、サーバ装置５０のユーザインターフェースデータ情報５２ａに含まれるユーザインターフェースデータ識別情報には、各バージョンのユーザインターフェースデータを識別する識別情報が登録される。
【０１３１】
図１４は、ユーザインターフェースデータのバージョンの情報を含むユーザインターフェースデータ情報５２ａの一例を示す図である。このユーザインターフェースデータ情報５２ａには、第１の映像機器情報、第２の映像機器情報、及びユーザインターフェース識別情報が対応付けて登録されている。
【０１３２】
例えば、図１４の例では、第１の映像機器の型番「ＴＶ１」、第２の映像機器の型番「レコーダ１」に対応付けて、３つのバージョン（Ｖｅｒ．１〜３）のユーザインターフェースデータを識別する情報「ＵＩ１  Ｖｅｒ．１」、「ＵＩ１  Ｖｅｒ．２」、「ＵＩ１  Ｖｅｒ．３」が登録されている。ここで、数字の大きいほどバージョンが新しいものとする。
【０１３３】
例えば、情報管理システムが図１（Ａ）に示すような構成である場合について考える。図１５は、本発明の実施形態に係る情報管理システムの他の動作例を説明するための図である。
【０１３４】
まず、レコーダ１０とＴＶ２０のスイッチがＯＮになり、レコーダ１０とＴＶ２０との間で通信接続が確立されると、レコーダ１０は、ＴＶ２０にレコーダ１０の型番の情報を送信する（ステップＳ３１）。
【０１３５】
その後、サーバ装置５０に新しいバージョンのユーザインターフェースデータが記憶され、図１４に示したようなユーザインターフェースデータ情報５２ａにその情報が登録されると、サーバ装置５０は、新しいバージョンのユーザインターフェースデータが登録されたことをＴＶ２０に通知する（ステップＳ３２）。
【０１３６】
例えば、サーバ装置５０は、各ＴＶ２０のＩＰアドレスとその型番とを対応付けて記憶しておくこととする。そして、サーバ装置５０は、ユーザインターフェースデータ情報５２ａを参照し、新しいバージョンのユーザインターフェースデータを利用可能なレコーダ１０とＴＶ２０の組み合わせに含まれるＴＶ２０にのみ、上記ＩＰアドレスを用いて通知を行うこととする。なお、サーバ装置５０は、ネットワーク６０に接続されているすべてのＴＶ２０に上記通知をブロードキャストすることとしてもよい。
【０１３７】
そして、上記通知を受信したＴＶ２０は、サーバ装置５０に、ユーザインターフェースのデータのうち最新のバージョンのデータを送信するよう要求する（ステップＳ３３）。その際、レコーダ１０は、サーバ装置５０に、レコーダ１０の型番の情報とともに、ＴＶ２０の型番の情報を送信する。
【０１３８】
この要求を受けたサーバ装置５０は、レコーダ１０の型番、及びＴＶ２０の型番の組み合わせに対応するユーザインターフェースのデータのうち、バージョンが最新のデータを検索し、その結果得られたデータをＴＶ２０に送信する（ステップＳ３４）。
【０１３９】
そして、ＴＶ２０は、サーバ装置５０により送信されたユーザインターフェースのデータを受信し、受信したデータで、すでに記憶している古いバージョンのデータを更新する（ステップＳ３５）。
【０１４０】
その後、ＴＶ２０がユーザからレコーダ１０の操作指示を受け付けた場合には、ＴＶ２０は更新したユーザインターフェースのデータを読み出し、そのデータを用いて新しいバージョンのユーザインターフェースを表示する。
【０１４１】
ここで、図１５で説明した動作例では、新しいバージョンのユーザインターフェースが利用可能となった場合に、サーバ装置５０がＴＶ２０にそれを通知することとしたが、ＴＶ２０がサーバ装置５０に新しいバージョンのユーザインターフェースの有無を問い合わせることとしてもよい。図１６は、本発明の実施形態に係る情報管理システムの他の動作例を説明するための図である。
【０１４２】
まず、レコーダ１０とＴＶ２０のスイッチがＯＮになり、レコーダ１０とＴＶ２０との間で通信接続が確立されると、レコーダ１０は、ＴＶ２０にレコーダ１０の型番の情報を送信する（ステップＳ４１）。
【０１４３】
その後、ＴＶ２０は、新しいユーザインターフェースのデータの有無をサーバ装置５０に問い合わせる（ステップＳ４２）。その際、ＴＶ２０は、サーバ装置５０に、レコーダ１０の型番の情報、ＴＶ２０の型番の情報、及びＴＶ２０に記憶されているユーザインターフェースのバージョンの情報を送信する。なお、ＴＶ２０は、上記問い合わせを一定間隔で行うこととしてもよい。
【０１４４】
問い合わせを受けたサーバ装置５０は、図１４に示したユーザインターフェースデータ情報５２ａを参照し、レコーダ１０の型番、及びＴＶ２０の型番の組み合わせに対応するユーザインターフェースのデータのバージョンうち、最新のバージョンがどれかを判定する。
【０１４５】
そして、その最新のバージョンが、ＴＶ２０から通知されたバージョンよりも新しい場合には、サーバ装置５０は、ＴＶ２０に対して、最新バージョンのユーザインターフェースのデータが有ることを通知する（ステップＳ４３）。最新のバージョンが、ＴＶ２０から通知されたバージョンよりも新しいものではない場合、サーバ装置５０は、ＴＶ２０に対して、最新バージョンのユーザインターフェースのデータが無いことを通知する（ステップＳ４３）。
【０１４６】
そして、ＴＶ２０は、サーバ装置５０からの通知に基づいて、最新バージョンのユーザインターフェースのデータが有ったか否かを判定する（ステップＳ４４）。最新バージョンのユーザインターフェースのデータが無かった場合（ステップＳ４４においてＮＯの場合）、ＴＶ２０は、サーバ装置５０に対して、ユーザインターフェースのデータの送信要求を行わない。
【０１４７】
最新バージョンのユーザインターフェースのデータが有った場合（ステップＳ４４においてＹＥＳの場合）、ＴＶ２０は、サーバ装置５０に、ユーザインターフェースのデータのうち、最新のバージョンのデータを送信するよう要求する（ステップＳ４５）。その際、ＴＶ２０は、サーバ装置５０に、ＴＶ２０の型番の情報とともに、レコーダ１０の型番の情報を送信する。
【０１４８】
この要求を受けたサーバ装置５０は、レコーダ１０の型番、及びＴＶ２０の型番の組み合わせに対応するユーザインターフェースのデータのうち、バージョンが最新のデータを検索し、その結果得られたデータをＴＶ２０に送信する（ステップＳ４６）。
【０１４９】
そして、ＴＶ２０は、サーバ装置５０により送信されたユーザインターフェースのデータを受信し、受信したデータで、すでに記憶している古いバージョンのデータを更新する（ステップＳ４７）。
【０１５０】
その後、ＴＶ２０がユーザからレコーダ１０の操作指示を受け付けた場合には、ＴＶ２０は更新したユーザインターフェースのデータを読み出し、そのデータを用いて新しいバージョンのユーザインターフェースを表示する。
【０１５１】
情報管理システムが図１（Ｂ）に示すような構成である場合も同様の動作が行われる。図１７は、本発明の実施形態に係る情報管理システムの他の動作例を説明するための図である。
【０１５２】
まず、レコーダ１０とＴＶ２０のスイッチがＯＮになり、レコーダ１０とＴＶ２０との間で通信接続が確立されると、ＴＶ２０は、レコーダ１０にＴＶ２０の型番の情報を送信する（ステップＳ５１）。
【０１５３】
その後、サーバ装置５０に新しいバージョンのユーザインターフェースデータが記憶され、図１１に示したようなユーザインターフェースデータ情報５２ａにその情報が登録されると、サーバ装置５０は、新しいバージョンのユーザインターフェースデータが登録されたことをレコーダ１０に通知する（ステップＳ５２）。
【０１５４】
ここで、サーバ装置５０は、各レコーダ１０のＩＰアドレスとその型番とを対応付けて記憶しておくこととする。そして、サーバ装置５０は、ユーザインターフェースデータ情報５２ａを参照し、新しいバージョンのユーザインターフェースデータを利用可能なレコーダ１０とＴＶ２０の組み合わせに含まれるレコーダ１０にのみ、上記ＩＰアドレスを用いて通知を行うこととする。なお、サーバ装置５０は、ネットワーク６０に接続されているすべてのレコーダ１０に上記通知をブロードキャストすることとしてもよい。
【０１５５】
そして、上記通知を受信したレコーダ１０は、サーバ装置５０に、ユーザインターフェースのデータのうち最新のバージョンのデータを送信するよう要求する（ステップＳ５３）。その際、レコーダ１０は、サーバ装置５０に、レコーダ１０の型番の情報とともに、ＴＶ２０の型番の情報を送信する。
【０１５６】
この要求を受けたサーバ装置５０は、レコーダ１０の型番、及びＴＶ２０の型番の組み合わせに対応するユーザインターフェースのデータのうち、バージョンが最新のデータを検索し、その結果得られたデータをレコーダ１０に送信する（ステップＳ５４）。
【０１５７】
そして、レコーダ１０は、サーバ装置５０により送信されたユーザインターフェースのデータを受信し、受信したデータをＴＶ２０に転送する（ステップＳ５５）。ＴＶ２０は、レコーダ１０により転送されたユーザインターフェースのデータを受信し、受信したデータで、すでに記憶している古いバージョンのデータを更新する（ステップＳ５６）。
【０１５８】
その後、ＴＶ２０がユーザからレコーダ１０の操作指示を受け付けた場合には、ＴＶ２０は更新したユーザインターフェースのデータを読み出し、そのデータを用いて新しいバージョンのユーザインターフェースを表示する。
【０１５９】
ここで、図１７で説明した動作例では、新しいバージョンのユーザインターフェースが利用可能となった場合に、サーバ装置５０がレコーダ１０にそれを通知することとしたが、レコーダ１０がサーバ装置５０に新しいバージョンのユーザインターフェースの有無を問い合わせることとしてもよい。図１８は、本発明の実施形態に係る情報管理システムの他の動作例を説明するための図である。
【０１６０】
まず、レコーダ１０とＴＶ２０のスイッチがＯＮになり、レコーダ１０とＴＶ２０との間で通信接続が確立されると、ＴＶ２０は、レコーダ１０にＴＶ２０の型番の情報、及びＴＶ２０が記憶しているユーザインターフェースのデータのバージョンの情報を送信する（ステップＳ６１）。
【０１６１】
その後、レコーダ１０は、新しいユーザインターフェースのデータの有無をサーバ装置５０に問い合わせる（ステップＳ６２）。その際、レコーダ１０は、サーバ装置５０に、レコーダ１０の型番の情報、ＴＶ２０の型番の情報、及びＴＶ２０が記憶しているユーザインターフェースのバージョンの情報を送信する。なお、レコーダ１０は、上記問い合わせを一定間隔で行うこととしてもよい。
【０１６２】
問い合わせを受けたサーバ装置５０は、図１４に示したユーザインターフェースデータ情報５２ａを参照し、レコーダ１０の型番、及びＴＶ２０の型番の組み合わせに対応するユーザインターフェースのデータのバージョンのうち、最新のバージョンがどれかを判定する。
【０１６３】
そして、その最新のバージョンが、レコーダ１０から通知されたバージョンよりも新しい場合には、サーバ装置５０は、レコーダ１０に対して、最新バージョンのユーザインターフェースのデータが有ることを通知する（ステップＳ６３）。最新のバージョンが、レコーダ１０から通知されたバージョンよりも新しいものではない場合には、サーバ装置５０は、レコーダ１０に対して、最新バージョンのユーザインターフェースのデータが無いことを通知する（ステップＳ６３）。
【０１６４】
そして、レコーダ１０は、サーバ装置５０からの通知に基づいて、最新バージョンのユーザインターフェースのデータが有ったか否かを判定する（ステップＳ６４）。最新バージョンのユーザインターフェースのデータが無かった場合（ステップＳ６４においてＮＯの場合）、レコーダ１０は、サーバ装置５０に対して、ユーザインターフェースのデータの送信要求を行わない。
【０１６５】
最新バージョンのユーザインターフェースのデータが有った場合（ステップＳ６４においてＹＥＳの場合）、レコーダ１０は、サーバ装置５０に、ユーザインターフェースのデータのうち最新のバージョンのデータを送信するよう要求する（ステップＳ６５）。その際、レコーダ１０は、サーバ装置５０に、レコーダ１０の型番の情報とともに、ＴＶ２０の型番の情報を送信する。
【０１６６】
この要求を受けたサーバ装置５０は、レコーダ１０の型番、及びＴＶ２０の型番の組み合わせに対応するユーザインターフェースのデータのうち、バージョンが最新のデータを検索し、その結果得られたデータをレコーダ１０に送信する（ステップＳ６６）。
【０１６７】
そして、レコーダ１０は、サーバ装置５０により送信されたユーザインターフェースのデータを受信し、受信したデータをＴＶ２０に転送する（ステップＳ６７）。ＴＶ２０は、レコーダ１０により転送されたユーザインターフェースのデータを受信し、受信したデータで、すでに記憶している古いバージョンのデータを更新する（ステップＳ６８）。
【０１６８】
その後、ＴＶ２０がユーザからレコーダ１０の操作指示を受け付けた場合には、ＴＶ２０は更新したユーザインターフェースのデータを読み出し、そのデータを用いて新しいバージョンのユーザインターフェースを表示する。
【０１６９】
なお、上記実施形態では、映像機器がＴＶである場合の例について説明したが、映像機器はこれに限定されず、スマートフォンやタブレットＰＣ、携帯電話機などの携帯端末、パーソナルコンピュータ、電子ブックリーダ、ＰＤＡ（Ｐｅｒｓｏｎａｌ  Ｄｉｇｉｔａｌ  Ａｓｓｉｓｔａｎｔｓ）などの映像を表示可能な装置も含まれる。以下では、映像機器が、携帯端末である場合について説明する。
【０１７０】
図１９は、本発明に係る情報管理システムの他の構成例を示す図で、図中、１０は映像機器の一例であるレコーダ、８０は映像機器の一例である携帯端末、５０はレコーダ１０を操作するためのユーザインターフェースのデータを提供するサーバ装置である。このユーザインターフェースは、携帯端末８０に表示されるものである。サーバ装置５０は、携帯端末８０およびレコーダ１０の組み合わせに最適なユーザインターフェースのデータを提供する。
【０１７１】
また、４０はＨＤＭＩ  ＨＥＣ対応のＨＤＭＩケーブルであり、６０はネットワークである。レコーダ１０と携帯端末８０とはＨＤＭＩケーブル４０を介して相互に接続されており、ケーブル一本で映像・音声信号の伝送や、イーサネット（登録商標）信号の伝送、機器間制御用のコマンドを伝送することができる。
【０１７２】
また、本実施形態では、レコーダ１０と携帯端末８０との間を、ＨＤＭＩで接続した場合について説明するが、ＷｉＦｉ（登録商標）通信や、後に説明するようにインターネットを介した通信等で接続することとしてもよい。
【０１７３】
図１９（Ａ）の例では、サーバ装置５０は、ネットワーク６０を介して、携帯端末８０にユーザインターフェースのデータを送信する。この場合、携帯端末８０は、例えば、サーバ装置５０が接続されるネットワーク６０と無線通信により接続される。図１９（Ｂ）の例では、サーバ装置５０は、ネットワーク６０を介して、レコーダ１０にユーザインターフェースのデータを送信する。そして、そのデータを受信したレコーダ１０が、ＨＤＭＩケーブル４０を介して、携帯端末８０にユーザインターフェースのデータを転送する。
【０１７４】
図２０は、レコーダ１０と携帯端末８０とがインターネット９０を介して接続される場合の情報管理システムの構成例を示す図である。図中、１０は映像機器の一例であるレコーダ、５０はレコーダ１０を操作するためのユーザインターフェースのデータを提供するサーバ装置、８０は映像機器の一例である携帯端末、９０はネットワーク６０の一例であるインターネット、１００は異なるネットワーク間でデータを中継するルーター、１１０はレコーダ１０が記憶した映像データをインターネット９０を介して他の装置に転送したり、インターネット９０を介して携帯端末８０からレコーダ１０の操作情報を受け付け、その操作情報をレコーダ１０に転送するストリーミングアダプタである。
【０１７５】
図２０の例では、レコーダ１０、ルーター１００、ストリーミングアダプタ１１０が家庭内に設置されている。そして、図２０の場合も図１９（Ａ）の場合と同様に、サーバ装置５０は、インターネット９０を介して、携帯端末８０にユーザインターフェースのデータを送信する。
【０１７６】
あるいは、図１９（Ｂ）の場合と同様に、サーバ装置５０は、インターネット９０を介して、レコーダ１０にユーザインターフェースのデータを送信することとしてもよい。この場合、そのデータを受信したレコーダ１０が、インターネット９０を介して、携帯端末８０にユーザインターフェースのデータを転送することになる。
【０１７７】
このような構成により、ユーザは、レコーダ１０と携帯端末８０の組み合わせに最適なユーザインターフェースを用いて、外出先からであってもレコーダ１０の操作を容易に行うことができる。
【０１７８】
ここで、レコーダ１０およびサーバ装置５０の構成は、図２、図３に一例を示した構成と同様のものとなる。図２１は、図１９、図２０に示した携帯端末８０の構成例を説明するためのブロック図である。
【０１７９】
携帯端末８０は、制御部８１、ＨＤＭＩレシーバ８２、ＣＥＣＩ／Ｆ８３、ＬＡＮＩ／Ｆ８４、ＨＤＭＩコネクタ８５、無線ＬＡＮ通信Ｉ／Ｆ８６、公衆回線通信Ｉ／Ｆ８７、記憶部８８、及び表示部８９を備えている。
【０１８０】
制御部８１は、装置全体を制御するＣＰＵであって、ＨＤＭＩコントローラを含み、ＨＤＭＩレシーバ８２、ＣＥＣＩ／Ｆ８３及びＬＡＮＩ／Ｆ８４の動作を制御する。ＨＤＭＩレシーバ８２は、ＨＤＭＩコネクタ８５を介して、図２に示したＨＤＭＩケーブル４０内のＴＭＤＳライン４１と接続され、レコーダ１０から転送されたストリームを受信する。このＨＤＭＩレシーバ８２は制御部８１に内蔵されていてもよい。
【０１８１】
ＣＥＣＩ／Ｆ８３は、ＨＤＭＩコネクタ８５を介して、図２に示したＨＤＭＩケーブル４０内のＣＥＣライン４２と接続され、レコーダ１０との間でＣＥＣメッセージの双方向通信を行う。ＣＥＣＩ／Ｆ８３は、ＣＥＣメッセージを用いることによりＨＤＭＩ接続された機器を制御することができる。
【０１８２】
ＬＡＮＩ／Ｆ８４は、ＨＤＭＩコネクタ８５を介して、図２に示したＨＤＭＩケーブル４０内のＨＥＣライン４３と接続され、レコーダ１０との間でイーサネット信号の双方向通信を行う。このＬＡＮＩ／Ｆ８４は、ＨＤＭＩレシーバ８２に内蔵されていてもよい。
【０１８３】
無線ＬＡＮ通信Ｉ／Ｆ８６は、ＷｉＦｉ（登録商標）などの無線ＬＡＮ通信によりサーバ装置５０やレコーダ１０などの外部機器と通信を行う。公衆回線通信Ｉ／Ｆ８７は、無線通信によりインターネット９０などの公衆回線を介してサーバ装置５０やレコーダ１０などの外部機器と通信を行う。
【０１８４】
記憶部８８は、ＨＤＭＩにおける論理アドレス、物理アドレス、各種のデータテーブル等を記憶するＥＥＰＲＯＭなどの不揮発性メモリである。記憶部８８は、制御部８１により必要に応じてアクセスされ、データの読み出しや書き込みが実行される。なお、記憶部８８は、ＥＥＰＲＯＭに限定されず、例えば、ＨＤ（Hard Disk）や、フラッシュメモリなどであってもよい。
【０１８５】
表示部８９は、ＬＣＤなどのディスプレイで構成される。携帯端末８０では、ＨＤＭＩレシーバ８２によりストリームの映像／音声が分離され、必要に応じて所定の映像信号処理及び音声信号処理を行って、表示部８９に映像表示を行うと共に、図示しないスピーカから音声出力する。また、表示部８９は、制御部８１による制御により、レコーダ１０を操作するためのユーザインターフェースを表示する。
【０１８６】
図２２は、本発明の実施形態に係る情報管理システムの他の動作例を説明するための図である。図２２の動作例は、情報管理システムが図１９（Ａ）または図２０に示すような構成である場合のものである。
【０１８７】
まず、レコーダ１０と携帯端末８０のスイッチがＯＮになり、レコーダ１０と携帯端末８０とがＨＤＭＩケーブルで接続された場合（図１９（Ａ）の場合）、または、レコーダ１０と携帯端末８０のスイッチがＯＮになり、インターネット９０を介してレコーダ１０と携帯端末８０の間で通信接続が確立された場合（図２０の場合）、レコーダ１０は、携帯端末８０にレコーダ１０の型番の情報およびレコーダ１０の操作に用いられるユーザインターフェース（ＵＩ）が有する操作ボタンの情報を送信する（ステップＳ７１）。
【０１８８】
その後、携帯端末８０は、レコーダ１０を携帯端末８０の画面上で操作するためのユーザインターフェースの表示指示をユーザから受け付ける（ステップＳ７２）。そして、携帯端末８０は、表示指示を受け付けると、サーバ装置５０にユーザインターフェースのデータ（ＵＩデータ）を送信するよう要求する（ステップＳ７３）。
【０１８９】
その際、携帯端末８０は、レコーダ１０の型番の情報、携帯端末８０の型番の情報、レコーダ１０の操作に用いられるユーザインターフェースが有する操作ボタンの情報、および、携帯端末８０の解像度の情報（例えば、ＷＸＧＡ、ＦｕｌｌＨＤ、４Ｋ２Ｋなどの情報）をサーバ装置５０に送信する。
【０１９０】
この要求を受けたサーバ装置５０は、図４に示したものと同様のユーザインターフェースデータ情報５２ａを参照し、レコーダ１０の型番、及び携帯端末８０の型番の組み合わせに対応するユーザインターフェースのデータがあるか否かを判定する（ステップＳ７４）。
【０１９１】
ここで、図４のユーザインターフェースデータ情報５２ａには、第１の映像機器情報としてＴＶ２０の型番の情報が登録されていたが、本実施形態では、携帯端末８０の型番の情報が登録されているものとする。
【０１９２】
レコーダ１０の型番、及び携帯端末８０の型番の組み合わせに対応するユーザインターフェースのデータがあると判定された場合（ステップＳ７４においてＹＥＳの場合）、サーバ装置５０は、そのユーザインターフェースのデータを携帯端末８０に送信する（ステップＳ７５）。
【０１９３】
そして、携帯端末８０は、サーバ装置５０により送信されたユーザインターフェースのデータを受信し、受信したデータを記憶するとともに、そのデータを用いてレコーダ１０を操作するためのユーザインターフェースを表示する（ステップＳ８０）。
【０１９４】
ステップＳ７４において、レコーダ１０の型番、及び携帯端末８０の型番の組み合わせに対応するユーザインターフェースのデータがないと判定された場合（ステップＳ７４においてＮＯの場合）、サーバ装置５０は、ユーザインターフェースのデータの生成が可能か否かを判定する（ステップＳ７６）。
【０１９５】
例えば、サーバ装置５０は、レコーダ１０の操作に用いられるユーザインターフェースが有する操作ボタンの情報、および、携帯端末８０の解像度の情報を用いて、ユーザインターフェースのデータの生成が可能か否かを判定する。
【０１９６】
具体的には、サーバ装置５０は、携帯端末８０の解像度がＷＸＧＡであって、ユーザインターフェースが有する操作ボタンの数が第１の所定数以上である場合、携帯端末８０の解像度がＦｕｌｌＨＤであって、ユーザインターフェースが有する操作ボタンの数が第１の所定数よりも大きい第２の所定数以上である場合、または、携帯端末８０の解像度が４Ｋ２Ｋであって、ユーザインターフェースが有する操作ボタンの数が第２の所定数よりも大きい第３の所定数以上である場合、解像度が低すぎるため、ユーザインターフェースのデータを生成できないと判定する。それ以外の場合、サーバ装置５０は、ユーザインターフェースのデータの生成が可能と判定する。
【０１９７】
ステップＳ７６において、ユーザインターフェースのデータの生成が可能と判定された場合（ステップＳ７６においてＹＥＳの場合）、サーバ装置５０は、ユーザインターフェースのデータを生成する（ステップＳ７８）。
【０１９８】
具体的には、サーバ装置５０は、ユーザインターフェースが有する操作ボタンの情報、および、携帯端末８０の解像度の情報を用いて、図６に示したような操作ボタンの数が異なるユーザインターフェースのデータを生成する。
【０１９９】
例えば、サーバ装置５０は、携帯端末８０の解像度がＷＸＧＡであって、ユーザインターフェースが有する操作ボタンの数が第１の所定数未満である場合、図６（Ａ）に示したようなユーザインターフェースのデータを生成する。
【０２００】
また、サーバ装置５０は、携帯端末８０の解像度がＦｕｌｌＨＤであって、ユーザインターフェースが有する操作ボタンの数が第１の所定数以上、第２の所定値未満である場合、図６（Ｂ）に示したようなユーザインターフェースのデータを生成する。
【０２０１】
また、サーバ装置５０は、携帯端末８０の解像度が４Ｋ２Ｋであって、ユーザインターフェースが有する操作ボタンの数が第２の所定数以上、第３の所定値未満である場合、図６（Ｃ）に示したようなユーザインターフェースのデータを生成する。
【０２０２】
ここで、図６（Ａ）〜図６（Ｃ）のようなユーザインターフェースのデータを生成するための各操作ボタンの画像データ等はサーバ装置５０の記憶部５２に予め記憶されているものとする。その後、サーバ装置５０は、生成したデータを携帯端末８０に送信する（ステップＳ７９）。
【０２０３】
ステップＳ７６において、ユーザインターフェースのデータの生成ができないと判定された場合（ステップＳ７６においてＮＯの場合）、サーバ装置５０は、予め記憶部５２に記憶していた汎用ユーザインターフェースのデータを携帯端末８０に送信する（ステップＳ７７）。汎用ユーザインターフェースとは、どのレコーダ１０にも使用可能な必要最小限の操作ボタンを有するインターフェースである。
【０２０４】
そして、携帯端末８０は、サーバ装置５０により送信されたユーザインターフェースのデータを受信し、受信したデータを記憶するとともに、そのデータを用いて、レコーダ１０を操作するためのユーザインターフェースを表示する（ステップＳ８０）。
【０２０５】
なお、図２２のステップＳ７７では、ユーザインターフェースのデータの生成ができないと判定された場合、サーバ装置５０は、汎用ユーザインターフェースのデータを携帯端末８０に送信することとしたが、ユーザインターフェースのデータを生成できない旨のメッセージをサーバ装置５０が携帯端末８０に送信することとしてもよい。そして、このメッセージを受信した携帯端末８０は、予め携帯端末８０の記憶部８８に記憶していた汎用ユーザインターフェースのデータを用いて、レコーダ１０を操作するためのユーザインターフェースを表示することとしてもよい。
【０２０６】
図２３は、本発明の実施形態に係る情報管理システムの他の動作例を説明するための図である。図２３の動作例は、情報管理システムが図１９（Ｂ）または図２０に示すような構成である場合のものである。
【０２０７】
まず、レコーダ１０と携帯端末８０のスイッチがＯＮになり、レコーダ１０と携帯端末８０とがＨＤＭＩケーブルで接続された場合（図１９（Ｂ）の場合）、または、レコーダ１０と携帯端末８０のスイッチがＯＮになり、インターネット９０を介してレコーダ１０と携帯端末８０の間で通信接続が確立された場合（図２０の場合）、携帯端末８０は、レコーダ１０に携帯端末８０の型番の情報および携帯端末８０の解像度の情報（例えば、ＷＸＧＡ、ＦｕｌｌＨＤ、４Ｋ２Ｋなどの情報）を送信する（ステップＳ９１）。
【０２０８】
そして、携帯端末８０は、レコーダ１０を携帯端末８０の画面上で操作するためのユーザインターフェースの表示指示をユーザから受け付ける（ステップＳ９２）。そして、携帯端末８０は、表示指示を受け付けると、レコーダ１０にユーザインターフェースのデータ（ＵＩデータ）を送信するよう要求する（ステップＳ９３）。この要求を受けたレコーダ１０は、サーバ装置５０にユーザインターフェースのデータ（ＵＩデータ）を送信するよう要求する（ステップＳ９４）。
【０２０９】
その際、レコーダ１０は、サーバ装置５０に、携帯端末８０の型番の情報、レコーダ１０の型番の情報、レコーダ１０の操作に用いられるユーザインターフェースが有する操作ボタンの情報、および、携帯端末８０の解像度の情報を送信する。
【０２１０】
この要求を受けたサーバ装置５０は、図４に示したものと同様のユーザインターフェースデータ情報５２ａを参照し、レコーダ１０の型番、及び携帯端末８０の型番の組み合わせに対応するユーザインターフェースのデータがあるか否かを判定する（ステップＳ９５）。
【０２１１】
ここで、図４のユーザインターフェースデータ情報５２ａには、第１の映像機器情報として、ＴＶ２０の型番の情報が登録されていたが、本実施形態では、携帯端末８０の型番の情報が登録されているものとする。
【０２１２】
レコーダ１０の型番、及び携帯端末８０の型番の組み合わせに対応するユーザインターフェースのデータがあると判定された場合（ステップＳ９５においてＹＥＳの場合）、サーバ装置５０は、そのユーザインターフェースのデータをレコーダ１０に送信する（ステップＳ９６）。このデータを受信したレコーダ１０は、そのデータを携帯端末８０に転送する（ステップＳ１０１）。
【０２１３】
そして、携帯端末８０は、レコーダ１０により送信されたユーザインターフェースのデータを受信し、受信したデータを記憶するとともに、そのデータを用いてレコーダ１０を操作するためのユーザインターフェースを表示する（ステップＳ１０２）。
【０２１４】
ステップＳ９５において、レコーダ１０の型番、及び携帯端末８０の型番の組み合わせに対応するユーザインターフェースのデータがないと判定された場合（ステップＳ９５においてＮＯの場合）、サーバ装置５０は、ユーザインターフェースのデータの生成が可能か否かを判定する（ステップＳ９７）。
【０２１５】
例えば、サーバ装置５０は、レコーダ１０の操作に用いられるユーザインターフェースが有する操作ボタンの情報、および、携帯端末８０の解像度の情報を用いて、ユーザインターフェースのデータの生成が可能か否かを判定する。具体的には、サーバ装置５０は、図２２で説明したような方法で、上記判定を行う。
【０２１６】
ステップＳ９７において、ユーザインターフェースのデータの生成が可能と判定された場合（ステップＳ９７においてＹＥＳの場合）、サーバ装置５０は、ユーザインターフェースのデータを生成する（ステップＳ９９）。具体的には、サーバ装置５０は、図２２で説明したような方法で、上記生成を行う。
【０２１７】
ステップＳ９７において、ユーザインターフェースのデータの生成ができないと判定された場合（ステップＳ９７においてＮＯの場合）、サーバ装置５０は、予め記憶部５２に記憶していた汎用ユーザインターフェースのデータをレコーダ１０に送信する（ステップＳ９８）。汎用ユーザインターフェースとは、どのレコーダ１０にも使用可能な必要最小限の操作ボタンを有するインターフェースである。
【０２１８】
このデータを受信したレコーダ１０は、そのデータを携帯端末８０に転送する（ステップＳ１０１）。そして、携帯端末８０は、レコーダ１０により送信されたユーザインターフェースのデータを受信し、受信したデータを記憶するとともに、そのデータを用いてレコーダ１０を操作するためのユーザインターフェースを表示する（ステップＳ１０２）。
【０２１９】
なお、図２３のステップＳ９８では、ユーザインターフェースのデータの生成ができないと判定された場合、サーバ装置５０は、汎用ユーザインターフェースのデータをレコーダ１０に送信することとしたが、ユーザインターフェースのデータを生成できない旨のメッセージをサーバ装置５０がレコーダ１０に送信することとしてもよい。そして、このメッセージを受信したレコーダ１０は、そのメッセージを携帯端末１０に転送し、そのメッセージを受信した携帯端末８０が、予め携帯端末８０の記憶部８８に記憶していた汎用ユーザインターフェースのデータを用いて、レコーダ１０を操作するためのユーザインターフェースを表示することとしてもよい。
【０２２０】
また、図９では、ＴＶ２０のユーザ設定に応じて、ユーザインターフェースの表示言語を変更することとしたが、携帯端末８０における文字のフォントのユーザ設定に応じて、ユーザインターフェースで使用される文字のフォントを変更することとしてもよい。
【０２２１】
この場合、携帯端末８０は、サーバ装置５０に文字のフォントのユーザ設定の情報を、図１９（Ａ）に示す構成の場合は直接、図１９（Ｂ）に示す構成の場合はレコーダ１０を介して送信する。
【０２２２】
一方、サーバ装置５０には、図１０に示したものと同様のユーザインターフェースデータ情報５２ａが記憶されており、このユーザインターフェースデータ情報５２ａを参照して、携帯端末８０の型番、ユーザ設定、および、レコーダ１０の型番の組み合わせに対応するユーザインターフェースのデータを検索する。
【０２２３】
ここで、図１０のユーザインターフェースデータ情報５２ａには、第１の映像機器情報として、ＴＶ２０の型番の情報とユーザインターフェースの表示言語のユーザ設定の情報が登録されていたが、本実施形態では、携帯端末８０の型番の情報と、フォントの情報が登録されているものとする。
【０２２４】
そして、サーバ装置５０は検索の結果得られたユーザインターフェースのデータを、図１９（Ａ）に示す構成の場合は直接、図１９（Ｂ）に示す構成の場合はレコーダ１０を介して携帯端末８０に送信する。これにより、ユーザが望む表示方法を容易に実現することができる。
【０２２５】
さて、これまで情報提供装置、情報管理システム、映像機器、携帯端末、及び情報管理方法の実施形態を中心に説明を行ったが、本発明はこれらの実施形態に限定されるものではなく、情報提供装置、情報管理システム、映像機器、及び携帯端末の機能を実現するためのコンピュータプログラムとしての形態、あるいは、当該コンピュータプログラムが記録されたコンピュータ読み取り可能な記録媒体の形態として本発明が実施されることとしてもよい。
【０２２６】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０２２７】
これら記録媒体に上記実施形態における情報提供装置、情報管理システム、映像機器、及び携帯端末の機能を実現させるコンピュータプログラム、または、情報管理方法をコンピュータに実行させるコンピュータプログラムを記録して流通させることにより、コストの低廉化、及び可搬性や汎用性を向上させることができる。
【０２２８】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る情報提供装置、情報管理システム、映像機器、及び携帯端末の機能を実現し、情報管理方法を実行することができる。
【０２２９】
また、本発明は上述した実施形態に限定されず、本発明の要旨を逸脱しない範囲内で各種の変形、修正が可能である。
【０２３０】
例えば、上記実施形態では、レコーダ１０とＴＶ２０のスイッチがＯＮになり、レコーダ１０とＴＶ２０との間で通信接続が確立された場合に、サーバ装置５０からユーザインターフェースのデータを取得することとしたが、レコーダ１０、あるいは、ＴＶ２０の初期設定を行う際に、サーバ装置５０からユーザインターフェースのデータを取得することとしてもよい。または、レコーダ１０、あるいは、ＴＶ２０のファームウェアのバージョンアップを行う際に、サーバ装置５０からユーザインターフェースのデータを取得することとしてもよい。
【０２３１】
また、上記実施形態では、ＴＶ２０にレコーダ１０が１台接続されている場合について説明したが、ＴＶ２０に接続されるレコーダの数は複数台であってもよい。この場合、各レコーダとＴＶ２０のスイッチがＯＮになり、各レコーダとＴＶ２０との間で通信接続が確立されると、各レコーダは、ＴＶ２０にレコーダの型番の情報を送信する。そして、ＴＶ２０は、サーバ装置５０に、ＴＶ２０の型番の情報とともに、各レコーダの型番の情報を送信し、各レコーダをＴＶ２０の画面上で操作するためのユーザインターフェースのデータを送信するよう要求する。
【０２３２】
この要求を受けたサーバ装置５０は、各レコーダ１０の型番、及びＴＶ２０の型番の組み合わせに対応するユーザインターフェースのデータをＴＶ２０に送信する。そして、ＴＶ２０は、サーバ装置５０により送信されたユーザインターフェースのデータを受信し、受信したデータを記憶する。
【０２３３】
そして、ＴＶ２０がユーザから複数のレコーダのいずれかについて操作指示を受け付けた場合、ＴＶ２０は、そのレコーダに対応するユーザインターフェースのデータを読み出し、そのデータを用いてユーザインターフェースを表示する。
【０２３４】
また、サーバ装置５０も１台である必要はなく、複数台であってもよい。例えば、レコーダ１０、あるいは、ＴＶ２０が、レコーダ１０の型番とＴＶ２０の型番との組み合わせの情報を１つのサーバ装置に送信し、そのサーバ装置がその組み合わせの情報に対応するユーザインターフェースのデータを登録していなかった場合、レコーダ１０、あるいは、ＴＶ２０は、別のサーバ装置にその組み合わせの情報を送信し、その別のサーバ装置から組み合わせの情報に対応するユーザインターフェースのデータを取得することとしてもよい。なお、各サーバ装置は、その組み合わせの情報に対応するユーザインターフェースのデータを登録していない場合、レコーダ１０、あるいは、ＴＶ２０にその旨の通知を行うものとする。
【０２３５】
上記実施形態に記載された処理は、映像機器としてＴＶ２０の代わりに携帯端末８０を用いる場合も同様に実行され得る。
【符号の説明】
【０２３６】
１０…レコーダ、１１…ＨＤＭＩトランスミッタ、１２，２１…メインマイコン、１３…フロントマイコン、１４，２４，８３…ＣＥＣＩ／Ｆ、１５，２５，５１…通信Ｉ／Ｆ、１６，２６…リモコン受光部、１７，２７，８５…ＨＤＭＩコネクタ、１８，２８，８４…ＬＡＮＩ／Ｆ、１９，２９，８８…記憶部、２０…ＴＶ、２２，８２…ＨＤＭＩレシーバ、２３…モニターマイコン、３０，８９…表示部、４０…ＨＤＭＩケーブル、４１…ＴＭＤＳライン、４２…ＣＥＣライン、４３…ＨＥＣライン、５０…サーバ装置、５２…記憶部、５２ａ…ユーザインターフェースデータ情報、５２ｂ…ユーザインターフェースデータ、５３，８１…制御部、５３ａ…情報受信部、５３ｂ…検索部、５３ｃ…情報送信部、６０…ネットワーク、７０ａ，７０ｂ，７０ｃ…ユーザインターフェース、８０…携帯端末、８６…無線ＬＡＮ通信Ｉ／Ｆ、８７…公衆回線通信Ｉ／Ｆ、９０…インターネット、１００…ルーター、１１０…ストリーミングアダプタ。
【図１】
2013034170.tif 000003
【図２】
2013034170.tif 000004
【図３】
2013034170.tif 000005
【図４】
2013034170.tif 000006
【図５】
2013034170.tif 000007
【図６】
2013034170.tif 000008
【図７】
2013034170.tif 000009
【図８】
2013034170.tif 000010
【図９】
2013034170.tif 000011
【図１０】
2013034170.tif 000012
【図１１】
2013034170.tif 000013
【図１２】
2013034170.tif 000014
【図１３】
2013034170.tif 000015
【図１４】
2013034170.tif 000016
【図１５】
2013034170.tif 000017
【図１６】
2013034170.tif 000018
【図１７】
2013034170.tif 000019
【図１８】
2013034170.tif 000020
【図１９】
2013034170.tif 000021
【図２０】
2013034170.tif 000022
【図２１】
2013034170.tif 000023
【図２２】
2013034170.tif 000024
【図２３】
2013034170.tif 000025
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
第１の映像機器、または、第２の映像機器にネットワークを介して接続された情報提供装置であって、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、第２の映像機器を操作するための操作ボタンの数が異なるユーザインターフェースの中から、前記第１の映像機器の解像度の情報と前記第２の映像機器の情報との組み合わせに対応する数の操作ボタンを有するユーザインターフェースの情報を前記記憶部から検索する検索部と、
該検索部により検索された情報を、前記ネットワークを介して接続された第１の映像機器、または、第２の映像機器に送信する情報送信部と、
を備え、
前記検索部は、前記組み合わせに対応する数の操作ボタンを有するユーザインターフェースの情報のうち、最新のユーザインターフェースの情報を検索することを特徴とする情報提供装置。
【請求項２】
前記第２の映像機器の情報は、前記第２の映像機器が有する複数の機能の情報を含むことを特徴とする請求項１に記載の情報提供装置。
【請求項３】
第１の映像機器、または、第２の映像機器にネットワークを介して接続された情報提供装置であって、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、第２の映像機器を操作するための操作ボタンの数が異なるユーザインターフェースの中から、ユーザが設定した前記第１の映像機器における表示画面の分割数の情報と前記第２の映像機器の情報との組み合わせに対応する数の操作ボタンを有するユーザインターフェースの情報を前記記憶部から検索する検索部と、
該検索部により検索された情報を、前記ネットワークを介して接続された第１の映像機器、または、第２の映像機器に送信する情報送信部と、
を備え、
前記検索部は、前記組み合わせに対応する数の操作ボタンを有するユーザインターフェースの情報のうち、最新のユーザインターフェースの情報を検索することを特徴とする情報提供装置。
【請求項４】
第１の映像機器、または、第２の映像機器にネットワークを介して接続された情報提供装置であって、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、前記第１の映像機器の情報と前記第２の映像機器の情報との組み合わせに対応するユーザインターフェースの情報を前記記憶部から検索する検索部と、
該検索部により検索された情報を、前記ネットワークを介して接続された第１の映像機器、または、第２の映像機器に送信する情報送信部と、
を備え、
前記第２の映像機器の情報は、前記第２の映像機器により再生される記録媒体に記録されたコンテンツの言語の情報を含み、
前記検索部は、前記組み合わせに対応するユーザインターフェースの情報のうち、最新のユーザインターフェースの情報を検索することを特徴とする情報提供装置。
【請求項５】
前記第１の映像機器の情報は、該第１の映像機器に対してユーザが設定した第１の設定情報を含むことを特徴とする請求項１、２または４に記載の情報提供装置。
【請求項６】
前記第１の設定情報は、前記第１の映像機器において文字の表示に用いられる言語の情報を含むことを特徴とする請求項５に記載の情報提供装置。
【請求項７】
前記第２の映像機器の情報は、該第２の映像機器に対してユーザが設定した第２の設定情報を含むことを特徴とする請求項１〜６のいずれか１項に記載の情報提供装置。
【請求項８】
前記第２の設定情報は、前記第２の映像機器により記録媒体が再生される場合に用いられる言語の情報を含むことを特徴とする請求項７に記載の情報提供装置。
【請求項９】
前記第１の映像機器は、携帯端末であることを特徴とする請求項１〜８のいずれか１項に記載の情報提供装置。
【請求項１０】
情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、
前記情報提供装置は、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、第２の映像機器を操作するための操作ボタンの数が異なるユーザインターフェースの中から、前記第１の映像機器の解像度の情報と前記第２の映像機器の情報との組み合わせに対応する数の操作ボタンを有するユーザインターフェースの情報を前記記憶部から検索する検索部と、
該検索部により検索された情報を、前記ネットワークを介して接続された第１の映像機器、または、第２の映像機器に送信する情報送信部と、を備え、
前記検索部は、前記組み合わせに対応する数の操作ボタンを有するユーザインターフェースの情報のうち、最新のユーザインターフェースの情報を検索し、
前記第１の映像機器、または、前記第２の映像機器は、
前記情報送信部により送信された情報を取得し、取得した情報を前記表示装置における前記ユーザインターフェースの表示を制御する制御部に出力する情報出力部を備える、
ことを特徴とする情報管理システム。
【請求項１１】
情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、
前記情報提供装置は、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、第２の映像機器を操作するための操作ボタンの数が異なるユーザインターフェースの中から、ユーザが設定した前記第１の映像機器における表示画面の分割数の情報と前記第２の映像機器の情報との組み合わせに対応する数の操作ボタンを有するユーザインターフェースの情報を前記記憶部から検索する検索部と、
該検索部により検索された情報を、前記ネットワークを介して接続された第１の映像機器、または、第２の映像機器に送信する情報送信部と、を備え、
前記検索部は、前記組み合わせに対応する数の操作ボタンを有するユーザインターフェースの情報のうち、最新のユーザインターフェースの情報を検索し、
前記第１の映像機器、または、前記第２の映像機器は、
前記情報送信部により送信された情報を取得し、取得した情報を前記表示装置における前記ユーザインターフェースの表示を制御する制御部に出力する情報出力部を備える、
ことを特徴とする情報管理システム。
【請求項１２】
情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、
前記情報提供装置は、
前記第１の映像機器に接続される第２の映像機器の操作に用いられ、前記第１の映像機器に表示されるユーザインターフェースの情報を記憶する記憶部と、
前記第１の映像機器の情報と前記第２の映像機器の情報とを、前記ネットワークを介して接続された第１の映像機器、または、第２の映像機器から受信する情報受信部と、
該情報受信部により受信された情報に基づいて、前記第１の映像機器の情報と前記第２の映像機器の情報との組み合わせに対応するユーザインターフェースの情報を前記記憶部から検索する検索部と、
該検索部により検索された情報を、前記ネットワークを介して接続された第１の映像機器、または、第２の映像機器に送信する情報送信部と、を備え、
前記第２の映像機器の情報は、前記第２の映像機器により再生される記録媒体に記録されたコンテンツの言語の情報を含み、
前記検索部は、前記組み合わせに対応するユーザインターフェースの情報のうち、最新のユーザインターフェースの情報を検索し、
前記第１の映像機器、または、前記第２の映像機器は、
前記情報送信部により送信された情報を取得し、取得した情報を前記表示装置における前記ユーザインターフェースの表示を制御する制御部に出力する情報出力部を備える、
ことを特徴とする情報管理システム。
【請求項１３】
前記第１の映像機器は、携帯端末であることを特徴とする請求項１０〜１２のいずれか１項に記載の情報管理システム。
【請求項１４】
他の映像機器と接続される映像機器であって、
前記他の映像機器の情報を取得する情報取得部と、
該情報取得部により取得された情報を情報提供装置に送信する情報送信部と、
前記他の映像機器を操作するための操作ボタンの数が異なるユーザインターフェースの中から検索された、自映像機器の解像度の情報と前記他の映像機器の情報との組み合わせに対応する数の操作ボタンを有するユーザインターフェースの情報を前記情報提供装置から受信する情報受信部と、
該情報受信部が受信した情報を、自映像機器、または、前記他の映像機器が有する表示装置における前記ユーザインターフェースの表示を制御する制御部に出力する情報出力部と、
を備え、
前記情報受信部は、前記組み合わせに対応する数の操作ボタンを有するユーザインターフェースの情報のうち、最新のユーザインターフェースの情報を受信することを特徴とする映像機器。
【請求項１５】
他の映像機器と接続される映像機器であって、
前記他の映像機器の情報を取得する情報取得部と、
該情報取得部により取得された情報を情報提供装置に送信する情報送信部と、
前記他の映像機器を操作するための操作ボタンの数が異なるユーザインターフェースの中から検索され、ユーザが設定した自映像機器における表示画面の分割数の情報と前記他の映像機器の情報との組み合わせに対応する数の操作ボタンを有するユーザインターフェースの情報を前記情報提供装置から受信する情報受信部と、
該情報受信部が受信した情報を、自映像機器、または、前記他の映像機器が有する表示装置における前記ユーザインターフェースの表示を制御する制御部に出力する情報出力部と、
を備え、
前記情報受信部は、前記組み合わせに対応する数の操作ボタンを有するユーザインターフェースの情報のうち、最新のユーザインターフェースの情報を受信することを特徴とする映像機器。
【請求項１６】
他の映像機器と接続される映像機器であって、
前記他の映像機器の情報を取得する情報取得部と、
該情報取得部により取得された情報を情報提供装置に送信する情報送信部と、
前記情報提供装置から自映像機器と前記他の映像機器との組み合わせに対応するユーザインターフェースの情報を受信する情報受信部と、
該情報受信部が受信した情報を、自映像機器、または、前記他の映像機器が有する表示装置における前記ユーザインターフェースの表示を制御する制御部に出力する情報出力部と、
を備え、
前記他の映像機器の情報は、前記他の映像機器により再生される記録媒体に記録されたコンテンツの言語の情報を含み、
前記情報受信部は、前記組み合わせに対応するユーザインターフェースの情報のうち、最新のユーザインターフェースの情報を受信することを特徴とする映像機器。
【請求項１７】
前記他の映像機器は携帯端末であり、前記情報出力部は、前記情報受信部が受信した情報を、前記携帯端末が有する表示装置における前記ユーザインターフェースの表示を制御する制御部に出力することを特徴とする請求項１４〜１６のいずれか１項に記載の映像機器。
【請求項１８】
映像機器と接続される携帯端末であって、
ユーザインターフェースの表示を行う表示部と、
前記映像機器の情報を取得する情報取得部と、
該情報取得部により取得された情報を情報提供装置に送信する情報送信部と、
前記映像機器を操作するための操作ボタンの数が異なるユーザインターフェースの中から検索された、前記携帯端末の解像度の情報と前記映像機器の情報との組み合わせに対応する数の操作ボタンを有するユーザインターフェースの情報を前記情報提供装置から受信する情報受信部と、
該情報受信部が受信した情報を、前記表示部における前記ユーザインターフェースの表示を制御する制御部に出力する情報出力部と、
を備え、
前記情報受信部は、前記組み合わせに対応する数の操作ボタンを有するユーザインターフェースの情報のうち、最新のユーザインターフェースの情報を受信することを特徴とする携帯端末。
【請求項１９】
映像機器と接続される携帯端末であって、
ユーザインターフェースの表示を行う表示部と、
前記映像機器の情報を取得する情報取得部と、
該情報取得部により取得された情報を情報提供装置に送信する情報送信部と、
前記映像機器を操作するための操作ボタンの数が異なるユーザインターフェースの中から検索され、ユーザが設定した前記携帯端末における表示画面の分割数の情報と前記映像機器の情報との組み合わせに対応する数の操作ボタンを有するユーザインターフェースの情報を前記情報提供装置から受信する情報受信部と、
該情報受信部が受信した情報を、前記表示部における前記ユーザインターフェースの表示を制御する制御部に出力する情報出力部と、
を備え、
前記情報受信部は、前記組み合わせに対応する数の操作ボタンを有するユーザインターフェースの情報のうち、最新のユーザインターフェースの情報を受信することを特徴とする携帯端末。
【請求項２０】
映像機器と接続される携帯端末であって、
ユーザインターフェースの表示を行う表示部と、
前記映像機器の情報を取得する情報取得部と、
該情報取得部により取得された情報を情報提供装置に送信する情報送信部と、
前記情報提供装置から前記携帯端末と前記映像機器との組み合わせに対応するユーザインターフェースの情報を受信する情報受信部と、
該情報受信部が受信した情報を、前記表示部における前記ユーザインターフェースの表示を制御する制御部に出力する情報出力部と、
を備え、
前記映像機器の情報は、前記映像機器により再生される記録媒体に記録されたコンテンツの言語の情報を含み、
前記情報受信部は、前記組み合わせに対応するユーザインターフェースの情報のうち、最新のユーザインターフェースの情報を受信することを特徴とする携帯端末。
【手続補正２】
【補正対象書類名】明細書
【補正対象項目名】０００９
【補正方法】変更
【補正の内容】
【０００９】
上記課題を解決する為に、本発明の第１の技術手段は、第１の映像機器、または、第２の映像機器にネットワークを介して接続された情報提供装置であって、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、第２の映像機器を操作するための操作ボタンの数が異なるユーザインターフェースの中から、前記第１の映像機器の解像度の情報と前記第２の映像機器の情報との組み合わせに対応する数の操作ボタンを有するユーザインターフェースの情報を前記記憶部から検索する検索部と、該検索部により検索された情報を、前記ネットワークを介して接続された第１の映像機器、または、第２の映像機器に送信する情報送信部と、を備え、前記検索部は、前記組み合わせに対応する数の操作ボタンを有するユーザインターフェースの情報のうち、最新のユーザインターフェースの情報を検索することを特徴とする。
本発明の第２の技術手段は、第１の技術手段において、前記第２の映像機器の情報は、前記第２の映像機器が有する複数の機能の情報を含むことを特徴とする。
【手続補正３】
【補正対象書類名】明細書
【補正対象項目名】００１０
【補正方法】変更
【補正の内容】
【００１０】
本発明の第３の技術手段は、第１の映像機器、または、第２の映像機器にネットワークを介して接続された情報提供装置であって、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、第２の映像機器を操作するための操作ボタンの数が異なるユーザインターフェースの中から、ユーザが設定した前記第１の映像機器における表示画面の分割数の情報と前記第２の映像機器の情報との組み合わせに対応する数の操作ボタンを有するユーザインターフェースの情報を前記記憶部から検索する検索部と、該検索部により検索された情報を、前記ネットワークを介して接続された第１の映像機器、または、第２の映像機器に送信する情報送信部と、を備え、前記検索部は、前記組み合わせに対応する数の操作ボタンを有するユーザインターフェースの情報のうち、最新のユーザインターフェースの情報を検索することを特徴とする。
【手続補正４】
【補正対象書類名】明細書
【補正対象項目名】００１１
【補正方法】変更
【補正の内容】
【００１１】
本発明の第４の技術手段は、第１の映像機器、または、第２の映像機器にネットワークを介して接続された情報提供装置であって、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、前記第１の映像機器の情報と前記第２の映像機器の情報との組み合わせに対応するユーザインターフェースの情報を前記記憶部から検索する検索部と、該検索部により検索された情報を、前記ネットワークを介して接続された第１の映像機器、または、第２の映像機器に送信する情報送信部と、を備え、前記第２の映像機器の情報は、前記第２の映像機器により再生される記録媒体に記録されたコンテンツの言語の情報を含み、前記検索部は、前記組み合わせに対応するユーザインターフェースの情報のうち、最新のユーザインターフェースの情報を検索することを特徴とする。
【手続補正５】
【補正対象書類名】明細書
【補正対象項目名】００１２
【補正方法】変更
【補正の内容】
【００１２】
本発明の第５の技術手段は、第１、第２または第４のいずれか１つの技術手段において、前記第１の映像機器の情報は、該第１の映像機器に対してユーザが設定した第１の設定情報を含むことを特徴とする。
【手続補正６】
【補正対象書類名】明細書
【補正対象項目名】００１３
【補正方法】変更
【補正の内容】
【００１３】
本発明の第６の技術手段は、第５の技術手段において、前記第１の設定情報は、前記第１の映像機器において文字の表示に用いられる言語の情報を含むことを特徴とする。
【手続補正７】
【補正対象書類名】明細書
【補正対象項目名】００１４
【補正方法】変更
【補正の内容】
【００１４】
本発明の第７の技術手段は、第１〜第６のいずれか１つの技術手段において、前記第２の映像機器の情報は、該第２の映像機器に対してユーザが設定した第２の設定情報を含むことを特徴とする。
【手続補正８】
【補正対象書類名】明細書
【補正対象項目名】００１５
【補正方法】変更
【補正の内容】
【００１５】
本発明の第８の技術手段は、第７の技術手段において、前記第２の設定情報は、前記第２の映像機器により記録媒体が再生される場合に用いられる言語の情報を含むことを特徴とする。
【手続補正９】
【補正対象書類名】明細書
【補正対象項目名】００１６
【補正方法】変更
【補正の内容】
【００１６】
本発明の第９の技術手段は、第１〜第８のいずれか１つの技術手段において、前記第１の映像機器は、携帯端末であることを特徴とする。
【手続補正１０】
【補正対象書類名】明細書
【補正対象項目名】００１７
【補正方法】変更
【補正の内容】
【００１７】
本発明の第１０の技術手段は、情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、前記情報提供装置は、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、第２の映像機器を操作するための操作ボタンの数が異なるユーザインターフェースの中から、前記第１の映像機器の解像度の情報と前記第２の映像機器の情報との組み合わせに対応する数の操作ボタンを有するユーザインターフェースの情報を前記記憶部から検索する検索部と、該検索部により検索された情報を、前記ネットワークを介して接続された第１の映像機器、または、第２の映像機器に送信する情報送信部と、を備え、前記検索部は、前記組み合わせに対応する数の操作ボタンを有するユーザインターフェースの情報のうち、最新のユーザインターフェースの情報を検索し、前記第１の映像機器、または、前記第２の映像機器は、前記情報送信部により送信された情報を取得し、取得した情報を前記表示装置における前記ユーザインターフェースの表示を制御する制御部に出力する情報出力部を備える、ことを特徴とする。
【手続補正１１】
【補正対象書類名】明細書
【補正対象項目名】００１８
【補正方法】変更
【補正の内容】
【００１８】
本発明の第１１の技術手段は、情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、前記情報提供装置は、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、第２の映像機器を操作するための操作ボタンの数が異なるユーザインターフェースの中から、ユーザが設定した前記第１の映像機器における表示画面の分割数の情報と前記第２の映像機器の情報との組み合わせに対応する数の操作ボタンを有するユーザインターフェースの情報を前記記憶部から検索する検索部と、該検索部により検索された情報を、前記ネットワークを介して接続された第１の映像機器、または、第２の映像機器に送信する情報送信部と、を備え、前記検索部は、前記組み合わせに対応する数の操作ボタンを有するユーザインターフェースの情報のうち、最新のユーザインターフェースの情報を検索し、
前記第１の映像機器、または、前記第２の映像機器は、前記情報送信部により送信された情報を取得し、取得した情報を前記表示装置における前記ユーザインターフェースの表示を制御する制御部に出力する情報出力部を備える、ことを特徴とする。
【手続補正１２】
【補正対象書類名】明細書
【補正対象項目名】００１９
【補正方法】変更
【補正の内容】
【００１９】
本発明の第１２の技術手段は、情報を表示する表示装置を有する第１の映像機器と、第１の映像機器に接続された第２の映像機器と、第１の映像機器、または、第２の映像機器のいずれかにネットワークを介して接続された情報提供装置とを含む情報管理システムであって、前記情報提供装置は、前記第１の映像機器に接続される第２の映像機器の操作に用いられ、前記第１の映像機器に表示されるユーザインターフェースの情報を記憶する記憶部と、前記第１の映像機器の情報と前記第２の映像機器の情報とを、前記ネットワークを介して接続された第１の映像機器、または、第２の映像機器から受信する情報受信部と、該情報受信部により受信された情報に基づいて、前記第１の映像機器の情報と前記第２の映像機器の情報との組み合わせに対応するユーザインターフェースの情報を前記記憶部から検索する検索部と、該検索部により検索された情報を、前記ネットワークを介して接続された第１の映像機器、または、第２の映像機器に送信する情報送信部と、を備え、前記第２の映像機器の情報は、前記第２の映像機器により再生される記録媒体に記録されたコンテンツの言語の情報を含み、前記検索部は、前記組み合わせに対応するユーザインターフェースの情報のうち、最新のユーザインターフェースの情報を検索し、前記第１の映像機器、または、前記第２の映像機器は、前記情報送信部により送信された情報を取得し、取得した情報を前記表示装置における前記ユーザインターフェースの表示を制御する制御部に出力する情報出力部を備える、ことを特徴とする。
【手続補正１３】
【補正対象書類名】明細書
【補正対象項目名】００２０
【補正方法】変更
【補正の内容】
【００２０】
本発明の第１３の技術手段は、第１０〜１２のいずれか１つの技術手段において、前記第１の映像機器は、携帯端末であることを特徴とする。
【手続補正１４】
【補正対象書類名】明細書
【補正対象項目名】００２１
【補正方法】変更
【補正の内容】
【００２１】
本発明の第１４の技術手段は、他の映像機器と接続される映像機器であって、前記他の映像機器の情報を取得する情報取得部と、該情報取得部により取得された情報を情報提供装置に送信する情報送信部と、前記他の映像機器を操作するための操作ボタンの数が異なるユーザインターフェースの中から検索された、自映像機器の解像度の情報と前記他の映像機器の情報との組み合わせに対応する数の操作ボタンを有するユーザインターフェースの情報を前記情報提供装置から受信する情報受信部と、該情報受信部が受信した情報を、自映像機器、または、前記他の映像機器が有する表示装置における前記ユーザインターフェースの表示を制御する制御部に出力する情報出力部と、を備え、前記情報受信部は、前記組み合わせに対応する数の操作ボタンを有するユーザインターフェースの情報のうち、最新のユーザインターフェースの情報を受信することを特徴とする。
本発明の第１５の技術手段は、他の映像機器と接続される映像機器であって、前記他の映像機器の情報を取得する情報取得部と、該情報取得部により取得された情報を情報提供装置に送信する情報送信部と、前記他の映像機器を操作するための操作ボタンの数が異なるユーザインターフェースの中から検索され、ユーザが設定した自映像機器における表示画面の分割数の情報と前記他の映像機器の情報との組み合わせに対応する数の操作ボタンを有するユーザインターフェースの情報を前記情報提供装置から受信する情報受信部と、該情報受信部が受信した情報を、自映像機器、または、前記他の映像機器が有する表示装置における前記ユーザインターフェースの表示を制御する制御部に出力する情報出力部と、を備え、前記情報受信部は、前記組み合わせに対応する数の操作ボタンを有するユーザインターフェースの情報のうち、最新のユーザインターフェースの情報を受信することを特徴とする。
本発明の第１６の技術手段は、他の映像機器と接続される映像機器であって、前記他の映像機器の情報を取得する情報取得部と、該情報取得部により取得された情報を情報提供装置に送信する情報送信部と、前記情報提供装置から自映像機器と前記他の映像機器との組み合わせに対応するユーザインターフェースの情報を受信する情報受信部と、該情報受信部が受信した情報を、自映像機器、または、前記他の映像機器が有する表示装置における前記ユーザインターフェースの表示を制御する制御部に出力する情報出力部と、を備え、前記他の映像機器の情報は、前記他の映像機器により再生される記録媒体に記録されたコンテンツの言語の情報を含み、前記情報受信部は、前記組み合わせに対応するユーザインターフェースの情報のうち、最新のユーザインターフェースの情報を受信することを特徴とする。
【手続補正１５】
【補正対象書類名】明細書
【補正対象項目名】００２２
【補正方法】変更
【補正の内容】
【００２２】
本発明の第１７の技術手段は、第１４〜１６のいずれか１つの技術手段において、前記他の映像機器は携帯端末であり、前記情報出力部は、前記情報受信部が受信した情報を、前携帯端末が有する表示装置における前記ユーザインターフェースの表示を制御する制御部に出力することを特徴とする。
【手続補正１６】
【補正対象書類名】明細書
【補正対象項目名】００２３
【補正方法】変更
【補正の内容】
【００２３】
本発明の第１８の技術手段は、映像機器と接続される携帯端末であって、ユーザインターフェースの表示を行う表示部と、前記映像機器の情報を取得する情報取得部と、該情報取得部により取得された情報を情報提供装置に送信する情報送信部と、前記映像機器を操作するための操作ボタンの数が異なるユーザインターフェースの中から検索された、前記携帯端末の解像度の情報と前記映像機器の情報との組み合わせに対応する数の操作ボタンを有するユーザインターフェースの情報を前記情報提供装置から受信する情報受信部と、該情報受信部が受信した情報を、前記表示部における前記ユーザインターフェースの表示を制御する制御部に出力する情報出力部と、を備え、前記情報受信部は、前記組み合わせに対応する数の操作ボタンを有するユーザインターフェースの情報のうち、最新のユーザインターフェースの情報を受信することを特徴とする。
本発明の第１９の技術手段は、映像機器と接続される携帯端末であって、ユーザインターフェースの表示を行う表示部と、前記映像機器の情報を取得する情報取得部と、該情報取得部により取得された情報を情報提供装置に送信する情報送信部と、前記映像機器を操作するための操作ボタンの数が異なるユーザインターフェースの中から検索され、ユーザが設定した前記携帯端末における表示画面の分割数の情報と前記映像機器の情報との組み合わせに対応する数の操作ボタンを有するユーザインターフェースの情報を前記情報提供装置から受信する情報受信部と、該情報受信部が受信した情報を、前記表示部における前記ユーザインターフェースの表示を制御する制御部に出力する情報出力部と、を備え、前記情報受信部は、前記組み合わせに対応する数の操作ボタンを有するユーザインターフェースの情報のうち、最新のユーザインターフェースの情報を受信することを特徴とする。
本発明の第２０の技術手段は、映像機器と接続される携帯端末であって、ユーザインターフェースの表示を行う表示部と、前記映像機器の情報を取得する情報取得部と、該情報取得部により取得された情報を情報提供装置に送信する情報送信部と、前記情報提供装置から前記携帯端末と前記映像機器との組み合わせに対応するユーザインターフェースの情報を受信する情報受信部と、該情報受信部が受信した情報を、前記表示部における前記ユーザインターフェースの表示を制御する制御部に出力する情報出力部と、を備え、前記映像機器の情報は、前記映像機器により再生される記録媒体に記録されたコンテンツの言語の情報を含み、前記情報受信部は、前記組み合わせに対応するユーザインターフェースの情報のうち、最新のユーザインターフェースの情報を受信することを特徴とする。
【手続補正１７】
【補正対象書類名】明細書
【補正対象項目名】００６８
【補正方法】変更
【補正の内容】
【００６８】
情報管理システムが図１（Ａ）に示すような構成である場合、ＴＶ２０はレコーダ１０
の型番の情報をＨＤＭＩケーブル４０を介して取得し、取得した型番の情報をＴＶ２０の
型番の情報とともにサーバ装置５０に送信する。レコーダ１０の型番の情報は、例えば、
ＣＥＣを用いて送信しても良いし、ＨＥＣを用いて送信しても良く、本発明の趣旨を逸脱
しない限りどのような手段を用いて送信しても良い。
【手続補正１８】
【補正対象書類名】明細書
【補正対象項目名】００６９
【補正方法】変更
【補正の内容】
【００６９】
そして、この情報を受信したサーバ装置５０は、図４に示したようなユーザインターフ
ェースデータ情報５２ａを参照し、ＴＶ２０の型番とレコーダ１０の型番との組み合わせ
に対応するユーザインターフェースデータ識別情報を検索する。
【手続補正１９】
【補正対象書類名】図面
【補正対象項目名】図１５
【補正方法】変更
【補正の内容】
【図１５】
2013034170.tif 000026